(57)【要約】【課題】  店舗の安定した収益を確保しつつ、プレイヤーの所有するゲーム価値の変動に関与し得る複数のゲーム要素から、新たなゲーム要素を得るというゲーム性を提供することである。【解決手段】  敵モンスターを倒しながらダンジョンを脱出するというロールプレイングゲームを実行するメダルゲーム機において、プレイヤーがゲーム画面上の主人公を操作しながらゲームを進行しているとき、所定の操作を行うことで、召喚されている２体の味方のモンスターを１体の味方のモンスターに合体させることができる。各モンスターには、そのモンスターの召喚により、召喚しない場合に比べて増加すると見込まれるメダル枚数（換算値）が対応づけされている。そして、合体前のモンスターの換算値の合計が合体後のモンスターの換算値となるように、合体後のモンスターが決定される。これにより、合体前と合体後において、そのメダルゲーム機のメダル払出率をほぼ一定にすることができる。【選択図】  図１
2005066363.tif 000002
【特許請求の範囲】
【請求項１】
プレイヤーの所持するゲーム価値を受け取るゲーム価値受取手段と、
プレイヤーに対してゲーム価値を払い出すゲーム価値払出手段と、
プレイヤーの所持するゲーム価値の変動に関与し得る複数のゲーム要素が登場するゲームを進行するゲーム進行手段とを備えたゲーム装置において、
所定の選択条件に基づいて、上記ゲーム進行手段により進行されるゲーム中に登場しているゲーム要素の中から、複数のゲーム要素を選択するゲーム要素選択手段と、
上記ゲーム要素選択手段により選択された複数のゲーム要素をゲーム価値量に換算したときの換算値を、所定の決定条件に従って決定する換算値決定手段と、
上記ゲーム要素選択手段により選択された複数のゲーム要素を、上記換算値決定手段により決定された換算値に基づくゲーム要素に置換するゲーム要素置換手段とを有することを特徴とするゲーム装置。
【請求項２】
請求項１のゲーム装置において、
上記所定の決定条件は、上記換算値が、上記ゲーム要素選択手段により選択される複数のゲーム要素のそれぞれをゲーム価値量に換算したときの各換算値の総和となることであることを特徴とするゲーム装置。
【請求項３】
請求項１のゲーム装置において、
上記換算値決定手段は、所定の抽選条件に従って、上記換算値を決定する抽選を行う抽選手段であることを特徴とするゲーム装置。
【請求項４】
請求項３のゲーム装置において、
上記抽選手段は、上記ゲーム要素選択手段により選択される複数のゲーム要素のそれぞれをゲーム価値量に換算したときの各換算値の総和を期待値とする抽選を行うことを特徴とするゲーム装置。
【請求項５】
請求項１、２、３又は４のゲーム装置において、
上記ゲーム要素選択手段により選択され得る各ゲーム要素に関連付けられた状態で、該各ゲーム要素をそれぞれゲーム価値量に換算したときの各換算値を記録する換算値記録媒体を備えており、
上記換算値決定手段は、
上記ゲーム要素選択手段により選択された複数のゲーム要素に関連付けられた換算値を上記換算値記録媒体から読み出す換算値読出手段を有し、上記所定の決定条件に従って、該換算値読出手段により読み出した各換算値から、該複数のゲーム要素の換算値を決定し、
上記ゲーム要素置換手段は、
上記換算値記録媒体に記録された換算値の中から、上記換算値決定手段により決定された換算値を特定する換算値特定手段を有し、上記ゲーム要素選択手段により選択された複数のゲーム要素を、該換算値特定手段により特定された換算値に関連付けられたゲーム要素に置換することを特徴とするゲーム装置。
【請求項６】
請求項１、２、３、４又は５のゲーム装置において、
上記ゲーム進行手段により進行されるゲーム中に登場しているゲーム要素を記録する登場要素記録媒体を備えており、
上記ゲーム要素置換手段は、上記ゲーム要素選択手段により選択された複数のゲーム要素を上記登場要素記録媒体から消去するとともに、上記換算値決定手段により決定された換算値に基づくゲーム要素を、該登場要素記録媒体に記録することを特徴とするゲーム装置。
【請求項７】
請求項１、２、３、４、５又は６のゲーム装置において、
上記ゲーム要素は、上記ゲーム進行手段が進行するゲームのゲーム画面上に出現し、その種類によって、ゲーム進行をプレイヤーにとって有利又は不利にするために変動するパラメータ情報に関連付けられたものであることを特徴とするゲーム装置。
【請求項８】
所定の選択条件に基づいて、ゲーム装置のゲーム進行手段により進行されるゲーム中に登場し、かつ、プレイヤーの所持するゲーム価値の変動に関与し得るゲーム要素を記録するゲーム要素記録媒体に記録されたゲーム要素の中から、複数のゲーム要素を選択するゲーム要素選択手段と、
上記ゲーム要素選択手段により選択された複数のゲーム要素をゲーム価値量に換算したときの換算値を、所定の決定条件に従って決定する換算値決定手段と、
上記ゲーム要素選択手段により選択された複数のゲーム要素を、上記ゲーム要素記録媒体から消去するとともに、上記換算値決定手段により決定された換算値に基づくゲーム要素をゲーム要素記録媒体に記録するゲーム要素置換手段とを有することを特徴とする情報置換装置。
【請求項９】
ゲーム装置のゲーム進行手段により進行されるゲーム中に登場し、かつ、プレイヤーの所持するゲーム価値の変動に関与し得るゲーム要素を記録する可搬型のゲーム要素記録媒体を、プレイヤーから受け取る記録媒体受取手段と、
上記記録媒体受取手段により受け取った可搬型のゲーム要素記録媒体から、該ゲーム要素記録媒体に記録されたゲーム要素を読み出すゲーム要素読出手段と、
上記ゲーム要素読出手段により読み出したゲーム要素の中から、複数のゲーム要素を選択するゲーム要素選択手段と、
上記ゲーム要素選択手段により選択された複数のゲーム要素をゲーム価値量に換算したときの換算値を、所定の決定条件に従って決定する換算値決定手段と、
上記換算値決定手段により決定された換算値に基づいて、所定のゲームに使用可能な新規なゲーム要素を生成するゲーム要素生成手段と、
上記ゲーム要素生成手段により生成した新規なゲーム要素を、可搬型のゲーム要素記録媒体に記録する新規ゲーム要素記録手段と、
上記ゲーム要素選択手段により選択された複数のゲーム要素を、上記プレイヤーが利用不可能な状態にするための利用不可能処理手段と、
上記新規ゲーム要素記録手段により新規なゲーム要素が記録されたゲーム要素記録媒体を、プレイヤーに引き渡すための記録媒体引渡手段とを備えたことを特徴とする情報合成装置。
【請求項１０】
請求項９の情報合成装置において、
上記ゲーム要素選択手段により選択された複数のゲーム要素が互いに同一のゲームに登場するものか否かを判断する判断手段を有しており、
上記ゲーム要素生成手段は、上記判断手段により同一のゲームに使用されるものと判断されたとき、上記ゲーム要素が登場するゲームと同一のゲームに使用可能な新規なゲーム要素を生成することを特徴とする情報合成装置。
【請求項１１】
請求項９又は１０の情報合成装置において、
上記利用不可能処理手段は、上記記録媒体受取手段により受け取った可搬型のゲーム要素記録媒体を回収する記録媒体回収手段を有することを特徴とする情報合成装置。
【請求項１２】
請求項９、１０又は１１の情報合成装置において、
上記新規ゲーム要素記録手段は、上記新規なゲーム要素を、上記記録媒体受取手段により受け取った可搬型のゲーム要素記録媒体とは異なる別個の可搬型のゲーム要素記録媒体に記録することを特徴とする情報合成装置。
【請求項１３】
請求項９、１０又は１１の情報合成装置において、
上記新規ゲーム要素記録手段は、上記記録媒体受取手段により受け取った可搬型のゲーム要素記録媒体に、上記新規なゲーム要素を記録することを特徴とする情報合成装置。
【請求項１４】
請求項９、１０、１１、１２又は１３の情報合成装置において、
上記ゲーム要素は、ゲーム進行をプレイヤーにとって有利又は不利にするために変動するパラメータ情報に関連付けられたものであることを特徴とする情報合成装置。
【請求項１５】
請求項１４の情報合成装置において、
上記ゲーム要素生成手段は、上記ゲーム要素選択手段により選択された複数のゲーム要素に対応する各ゲーム要素の特徴的なパラメータ情報に関連付けられた新規なゲーム要素を生成することを特徴とする情報合成装置。
【請求項１６】
請求項９、１０、１１、１２、１３、１４又は１５の情報合成装置において、
プレイヤーからゲームの対価を受け取る対価受取手段を有し、
上記記録媒体引渡手段は、上記対価受取手段により所定の対価を受け取ることを条件に、上記新規なゲーム要素が記録されたゲーム要素記録媒体をプレイヤーに引き渡すことを特徴とする情報合成装置。
【請求項１７】
プレイヤーの所持するゲーム価値を受け取るゲーム価値受取手段と、プレイヤーに対してゲーム価値を払い出すゲーム価値払出手段とを備え、プレイヤーの所持するゲーム価値の変動に関与し得る複数のゲーム要素が登場するゲームを実行するゲーム装置の制御方法において、
所定の選択条件に基づいて、ゲーム中に登場しているゲーム要素の中から複数のゲーム要素を選択するゲーム要素選択工程と、
上記ゲーム要素選択工程で選択された複数のゲーム要素をゲーム価値量に換算したときの換算値を、所定の決定条件に従って決定する換算値決定工程と、
上記ゲーム要素選択工程で選択された複数のゲーム要素を、上記換算値決定工程で決定された換算値に基づくゲーム要素に置換するゲーム要素置換工程とを有することを特徴とするゲーム装置の制御方法。
【請求項１８】
ゲーム装置のゲーム進行手段により進行されるゲーム中に登場し、かつ、プレイヤーの所持するゲーム価値の変動に関与し得るゲーム要素を記録するゲーム要素記録媒体に記録された情報を置換するための情報置換方法において、
所定の選択条件に基づいて、上記ゲーム要素記録媒体に記録されたゲーム要素の中から、複数のゲーム要素を選択するゲーム要素選択工程と、
上記ゲーム要素選択工程で選択された複数のゲーム要素をゲーム価値量に換算したときの換算値を、所定の決定条件に従って決定する換算値決定工程と、
上記ゲーム要素選択工程で選択された複数のゲーム要素を、上記ゲーム要素記録媒体から消去するとともに、上記換算値決定工程で決定された換算値に基づくゲーム要素を、該ゲーム要素記録媒体に記録するゲーム要素置換工程とを有することを特徴とする情報置換方法。
【請求項１９】
ゲーム装置のゲーム進行手段により進行されるゲーム中に登場し、かつ、プレイヤーの所持するゲーム価値の変動に関与し得るゲーム要素を記録する可搬型のゲーム要素記録媒体を、プレイヤーから受け取る記録媒体受取工程と、
上記記録媒体受取工程で受け取った可搬型のゲーム要素記録媒体から、該ゲーム要素記録媒体に記録されたゲーム要素を読み出すゲーム要素読出工程と、
上記ゲーム要素読出工程で読み出したゲーム要素の中から、複数のゲーム要素を選択するゲーム要素選択工程と、
上記ゲーム要素選択工程で選択された複数のゲーム要素をゲーム価値量に換算したときの換算値を、所定の決定条件に従って決定する換算値決定工程と、
上記換算値決定工程で決定された換算値に基づいて、所定のゲームに使用可能な新規なゲーム要素を生成するゲーム要素生成工程と、
上記ゲーム要素生成工程で生成した新規なゲーム要素を、可搬型のゲーム要素記録媒体に記録する新規ゲーム要素記録工程と、
上記ゲーム要素選択工程で選択された複数のゲーム要素を、上記プレイヤーが利用不可能な状態にするための利用不可能処理工程と、
上記新規ゲーム要素記録工程で新規なゲーム要素が記録されたゲーム要素記録媒体を、プレイヤーに引き渡すための記録媒体引渡工程とを有することを特徴とする情報合成方法。
【請求項２０】
プレイヤーの所持するゲーム価値を受け取るゲーム価値受取手段と、プレイヤーに対してゲーム価値を払い出すゲーム価値払出手段と、プレイヤーの所持するゲーム価値の変動に関与し得る複数のゲーム要素が登場するゲームを進行するゲーム進行手段とを備えたゲーム装置に設けられるコンピュータを機能させるためのプログラムにおいて、
所定の選択条件に基づいて、上記ゲーム進行手段により進行されるゲーム中に登場しているゲーム要素の中から、複数のゲーム要素を選択するゲーム要素選択手段、
上記ゲーム要素選択手段により選択された複数のゲーム要素をゲーム価値量に換算したときの換算値を、所定の決定条件に従って決定する換算値決定手段、及び
上記ゲーム要素選択手段により選択された複数のゲーム要素を、上記換算値決定手段により決定された換算値に基づくゲーム要素に置換するゲーム要素置換手段として、上記コンピュータを機能させることを特徴とするプログラム。
【請求項２１】
ゲーム装置のゲーム進行手段により進行されるゲーム中に登場し、かつ、プレイヤーの所持するゲーム価値の変動に関与し得るゲーム要素を記録するゲーム要素記録媒体に記録された情報を置換するための情報置換装置に設けられるコンピュータを機能させるためのプログラムにおいて、
所定の選択条件に基づいて、上記ゲーム要素記録媒体に記録されたゲーム要素の中から、複数のゲーム要素を選択するゲーム要素選択手段、
上記ゲーム要素選択手段により選択された複数のゲーム要素をゲーム価値量に換算したときの換算値を、所定の決定条件に従って決定する換算値決定手段、及び
上記ゲーム要素選択手段により選択された複数のゲーム要素を、上記ゲーム要素記録媒体から消去するとともに、上記換算値決定手段により決定された換算値に基づくゲーム要素を、該ゲーム要素記録媒体に記録するゲーム要素置換手段として、上記コンピュータを機能させることを特徴とするプログラム。
【請求項２２】
ゲーム装置のゲーム進行手段により進行されるゲーム中に登場し、かつ、プレイヤーの所持するゲーム価値の変動に関与し得るゲーム要素を記録する可搬型のゲーム要素記録媒体を、プレイヤーから受け取る記録媒体受取手段を備えた情報合成装置に設けられるコンピュータを機能させるためのプログラムであって、
上記記録媒体受取手段により受け取った可搬型のゲーム要素記録媒体から、該ゲーム要素記録媒体に記録されたゲーム要素を読み出すゲーム要素読出手段、
上記ゲーム要素読出手段により読み出したゲーム要素の中から、複数のゲーム要素を選択するゲーム要素選択手段、
上記ゲーム要素選択手段により選択された複数のゲーム要素をゲーム価値量に換算したときの換算値を、所定の決定条件に従って決定する換算値決定手段、
上記換算値決定手段により決定された換算値に基づいて、所定のゲームに使用可能な新規なゲーム要素を生成するゲーム要素生成手段、
上記ゲーム要素生成手段により生成した新規なゲーム要素を、可搬型のゲーム要素記録媒体に記録する新規ゲーム要素記録手段、
上記ゲーム要素選択手段により選択された複数のゲーム要素を、上記プレイヤーが利用不可能な状態にするための利用不可能処理手段、及び
上記新規ゲーム要素記録手段により新規なゲーム要素が記録されたゲーム要素記録媒体を、プレイヤーに引き渡すための処理を行う記録媒体引渡処理手段として、上記コンピュータを機能させることを特徴とするプログラム。
【発明の詳細な説明】
【技術分野】
【０００１】
本発明は、プレイヤーの所持するゲーム価値の変動に関与し得る複数のゲーム要素が登場するゲームを進行するゲーム進行手段を備えたゲーム装置、ゲーム中に登場するゲーム要素を記録するゲーム要素記録媒体に記録された情報を置換するための情報置換装置、可搬型のゲーム要素記録媒体に記録された複数のゲーム要素に基づいて新規なゲーム要素を生成し、その新規なゲーム要素を記録した可搬型のゲーム要素記録媒体をプレイヤーに引き渡す情報合成装置、並びに、ゲーム装置の制御方法、情報置換方法、情報合成方法及びプログラムに関するものである。
【背景技術】
【０００２】
従来から、ゲーム画面上に出現する複数のキャラクタ（ゲーム要素）が合体して、１体の合体キャラクタとなるゲームを実行するゲーム装置は知られている。例えば、特開２０００−３４２８５５号公報には、通信ケーブルを介して接続された複数のゲーム装置で実行される通信対戦ゲームにおいて、各ゲーム装置でプレイするプレイヤーのキャラクタ同士を合体させ、１体の合体キャラクタを生成するゲーム装置が開示されている。このゲーム装置では、例えば、合体前のキャラクタがもつ各能力値を比較し、高い方の能力値をもつ合体キャラクタを生成する。これにより、プレイヤー同士が協力することで、合体前の各キャラクタよりも強いキャラクタを得ることができる。
【発明の開示】
【発明が解決しようとする課題】
【０００３】
ところで、本出願人は、特願２０００−３１９６２４号等において、メダルゲーム機等がもつゲーム価値の増減に関するゲーム性と、プレイヤーが操作対象を操作することでゲームが進行されるようなゲームがもつゲーム性とを融合した新規なゲーム性を提供することが可能なゲーム装置を提案している。このゲーム装置では、プレイヤーは、ゲーム画面上に出現する操作対象である主人公を操作して、敵モンスターを倒しながらダンジョンを脱出するというゲームが展開される。このゲーム進行中、プレイヤーは、敵モンスターを倒したり、ダンジョンの脱出に成功したりすると、所定枚数のメダル（ゲーム価値）を獲得することができる。このゲームにおいて、プレイヤーは、ゲーム進行中に、味方モンスター（ゲーム要素）を召還させ、その味方モンスターを敵モンスターとの戦闘に参加させることも可能である。この場合、プレイヤーは、味方モンスターと協同して、敵モンスターを倒すことができるので、メダルを獲得しやすくなる。
【０００４】
このゲーム装置においても、上述と同様に、ゲーム中に登場する複数の味方モンスターを１体の合体モンスターに合体させることができる構成を付加することは、そのゲーム性を向上させる上で非常に有益である。しかし、このゲーム装置は、プレイヤーとの間でメダルの受渡しがあるメダルゲーム機であるので、家庭用ゲーム機等とは異なり、ゲームセンタ等の店舗の収益を考慮しなければならない。よって、ゲームセンタ等の店舗が安定して収益を得られるように、そのゲーム装置におけるメダル払出率を管理できるようにゲームを設計する必要がある。ここで、上述のように、味方モンスターは、プレイヤーがメダルを獲得するにあたって有利に働くことになる。このため、なんらの工夫もなく、複数の味方モンスターを１体の合体モンスターに合体させる構成を付加すると、そのゲーム装置のメダル払出率の管理ができず、店舗の収益を安定して得ることができないという問題が生じる。
このような問題は、プレイヤーが所有するメダルの増減に関与し得るアイテム等の他のゲーム要素を合体させる場合にも、同様に生じ得るものである。
【０００５】
本発明は、上記問題に鑑みなされたものであり、その目的とするところは、店舗の安定した収益を確保しつつ、プレイヤーの所有するゲーム価値の変動に関与し得る複数のゲーム要素を合体させる等して、プレイヤーが新しいゲーム要素を得ることができるというゲーム性を提供することが可能なゲーム装置、情報置換装置、情報合成装置、ゲーム装置の制御方法、情報置換方法、情報合成方法及びプログラムを提供することである。
【課題を解決するための手段】
【０００６】
上記目的を達成するために、請求項１の発明は、プレイヤーの所持するゲーム価値を受け取るゲーム価値受取手段と、プレイヤーに対してゲーム価値を払い出すゲーム価値払出手段と、プレイヤーの所持するゲーム価値の変動に関与し得る複数のゲーム要素が登場するゲームを進行するゲーム進行手段とを備えたゲーム装置において、所定の選択条件に基づいて、上記ゲーム進行手段により進行されるゲーム中に登場しているゲーム要素の中から、複数のゲーム要素を選択するゲーム要素選択手段と、上記ゲーム要素選択手段により選択された複数のゲーム要素をゲーム価値量に換算したときの換算値を決定する換算値決定手段と、上記ゲーム要素選択手段により選択された複数のゲーム要素を、上記換算値決定手段により決定された換算値に基づくゲーム要素に置換するゲーム要素置換手段とを有することを特徴とするものである。
【０００７】
このゲーム装置においては、ゲーム価値受取手段により、メダル等のゲーム価値をプレイヤーから受け取り、ゲーム結果に応じて、ゲーム価値払出手段により、そのプレイヤーに対してゲーム価値を払い出す。ここで、ゲーム価値とは、ゲームの結果によって得られたり、失われたりする、ゲームセンタ等で使用するメダルやコイン等の有体物、あるいは、これらの電子データなどを意味するものである。よって、ゲーム価値受取手段及びゲーム価値払出手段は、メダル等の有体物を受け取る手段や、ゲーム価値となる電子データ等を記録した記録媒体からその電子データ等を受け取る手段などから構成される。また、本ゲーム装置では、ゲーム進行手段により、プレイヤーの所持するゲーム価値の変動に関与し得る複数のゲーム要素が登場するゲームが進行される。このゲーム要素とは、ゲーム内容やゲーム価値の増減方法などに応じて種々考えられ、表面的には、プレイヤーがゲーム中で利用可能なキャラクタやアイテム、あるいは、プレイヤーのゲーム進行を妨げる敵キャラクタなどで表され、実質的には、そのキャラクタ等を構成する画像データ、能力データ等の各種データを意味する。尚、ゲーム要素は、ゲーム画面上に出現するものでも、ゲーム画面上に出現しないものでもよい。
【０００８】
また、本ゲーム装置においては、ゲーム要素選択手段により、所定の選択条件に基づいて、ゲーム中に登場しているゲーム要素の中から複数のゲーム要素が選択されることにより、これらゲーム要素は、ゲーム要素置換手段により、新たなゲーム要素に置換されることになる。すなわち、プレイヤーがプレイしているゲーム中に登場している複数のゲーム要素が、新たなゲーム要素に置き換えられることになる。この構成により、ゲーム中において、プレイヤーは、例えば、複数の味方キャラクタを１体の合体キャラクタに合体させたり、複数のアイテムを新たな１つのアイテムに変更したりすることが可能となる。また、プレイヤーの意志によらず、複数の敵キャラクタが１体の合体キャラクタに合体して、プレイヤーのゲーム進行を妨げるようなことも可能である。尚、ゲーム要素の置換の態様としては、複数のゲーム要素を１つのゲーム要素に置換する場合に限らず、複数のゲーム要素を更に新たな複数のゲーム要素に置換する場合も含まれる。また、複数のキャラクタをアイテムに置換したり、キャラクタとアイテムを新たなキャラクタに置換したりするように、ゲーム中における使用形態が互いに異なる複数のゲーム要素が関わるような置換を行うこともできる。
【０００９】
ここで、本ゲーム装置では、ゲーム要素置換手段により複数のゲーム要素を置換するとき、まず、換算値決定手段により、所定の決定条件に従って、置換前の複数のゲーム要素をゲーム価値量に換算したときの換算値を決定する。この所定の決定条件は、ゲーム要素がプレイヤーの所持するゲーム価値の変動に関与する度合や、ゲーム内容に対するゲーム要素の関わり方、ゲーム内容や店舗の営業方針などに応じて適宜設定されることになる。そして、置換前の複数のゲーム要素は、このようにして決定された換算値に基づくゲーム要素に置換される。また、換算値決定手段により決定される換算値と、置換後のゲーム要素との間には一定の関連性が存在する。このように、所定の決定条件に従って置換前の複数のゲーム要素の換算値を決定し、これら複数のゲーム要素を、その決定した換算値と一定の関連性をもつゲーム要素に置換するので、そのゲーム装置の置換後におけるゲーム価値の払出率を把握することが可能となる。よって、上記所定の決定条件及び上記一定の関連性に基づいて、そのゲーム装置のゲーム価値の払出率を管理することが可能となる。
【００１０】
一例を挙げると、ゲーム中において、プレイヤーが所有する各アイテム（ゲーム要素）をそれぞれ所定量のゲーム価値と交換できる場合、各アイテムをゲーム価値に交換するときのゲーム価値量の総和をこれら複数のアイテムの換算値と決定する。そして、これら複数のアイテムを、その決定された換算値が示すゲーム価値量と交換できるアイテムに置換する。この場合、プレイヤーが所有するゲーム価値に関する実質的な資産価値は、置換前と置換後で等しくなる。また、各アイテムをゲーム価値に交換するときのゲーム価値量の総和に、プレイヤーが追加で支払ったゲーム価値の量を加算したときの値を、これら複数のアイテムの換算値として決定しても、同様に、プレイヤーが所有するゲーム価値に関する実質的な資産価値は、置換前と置換後で等しくなる。これらの場合、このようなゲーム要素の置換により、そのゲーム装置におけるゲーム価値の払出率に変動が生じることはない。
【００１１】
また、請求項２の発明は、請求項１のゲーム装置において、上記所定の決定条件は、上記換算値が、上記ゲーム要素選択手段により選択される複数のゲーム要素のそれぞれをゲーム価値量に換算したときの各換算値の総和となることであることを特徴とするものである。
【００１２】
このゲーム装置においては、換算値決定手段により、ゲーム要素選択手段により選択された複数のゲーム要素の各換算値の総和が、これらゲーム要素の換算値として決定される。ゲーム要素選択手段により選択される各ゲーム要素の換算値は、そのゲーム要素がプレイヤーの所持するゲーム価値の変動に関与する度合や、ゲーム内容に対するゲーム要素の関わり方により適宜設定される。本ゲーム装置によれば、換算値決定手段により決定される換算値と置換後のゲーム要素との間の一定の関連性を把握しておくだけで、そのゲーム装置におけるゲーム価値の払出率を把握することが可能である。よって、そのゲーム装置におけるゲーム価値の払出率を比較的容易に管理することができる。
【００１３】
また、請求項３の発明は、請求項１のゲーム装置において、上記換算値決定手段は、所定の抽選条件に従って、上記換算値を決定する抽選を行う抽選手段であることを特徴とするものである。
【００１４】
このゲーム装置においては、抽選手段により所定の抽選条件に従った抽選を行うことで、上記ゲーム要素選択手段により選択される複数のゲーム要素の換算値を決定する。これにより、決定される換算値は、所定の抽選条件に応じた所定の抽選範囲内で任意に決定される。よって、同じ組合せからなる複数のゲーム要素を置換する場合であっても、常に同じ換算値が決定されるとは限らない。これにより、同じ組合せからなる複数のゲーム要素を置換する場合であっても、置換後のゲーム要素は必ずしも同じにならない。よって、プレイヤーは、置換後のゲーム要素がどのようなもになるかを予想するのが困難となり、ゲーム要素を置換するゲーム性を向上させることができる。ここで、無秩序な抽選により換算値を決定すると、ゲーム装置におけるゲーム価値の払出率の管理ができなくなり、店舗の安定した収益を確保することができない。しかし、本ゲーム装置では、所定の抽選条件に従った抽選で換算値を決定するので、そのゲーム装置におけるゲーム価値の払出率を管理することが可能である。
【００１５】
また、請求項４の発明は、請求項３のゲーム装置において、上記抽選手段は、上記ゲーム要素選択手段により選択される複数のゲーム要素のそれぞれをゲーム価値量に換算したときの各換算値の総和を期待値とする抽選を行うことを特徴とするものである。
【００１６】
このゲーム装置においては、ゲーム要素選択手段により選択される複数のゲーム要素について決められた各換算値の総和を期待値とした抽選を行い、これら複数のゲーム要素の換算値を決定する。これにより、長期的な期間で見ると、抽選により決定される換算値は、置換前における複数のゲーム要素の換算値の総和と等しくなる。これにより、抽選により決定される換算値と置換後のゲーム要素との間の一定の関連性を把握しておくだけで、そのゲーム装置におけるゲーム価値の払出率を把握することが可能である。よって、そのゲーム装置におけるゲーム価値の払出率を比較的容易に管理することができる。しかも、個々のプレイヤーの単位で見ると、決定される換算値は所定の抽選範囲内で任意に決定されるので、ゲーム要素を置換するゲーム性を向上させる効果を維持することができる。
【００１７】
また、請求項５の発明は、請求項１、２、３又は４のゲーム装置において、上記ゲーム要素選択手段により選択され得る各ゲーム要素に関連付けられた状態で、該各ゲーム要素をそれぞれゲーム価値量に換算したときの各換算値を記録する換算値記録媒体を備えており、上記換算値決定手段は、上記ゲーム要素選択手段により選択された複数のゲーム要素に関連付けられた換算値を上記換算値記録媒体から読み出す換算値読出手段を有し、上記所定の決定条件に従って、該換算値読出手段により読み出した各換算値から、該複数のゲーム要素の換算値を決定し、上記ゲーム要素置換手段は、上記換算値記録媒体に記録された換算値の中から、上記換算値決定手段により決定された換算値を特定する換算値特定手段を有し、上記ゲーム要素選択手段により選択された複数のゲーム要素を、該換算値特定手段により特定された換算値に関連付けられたゲーム要素に置換することを特徴とするものである。
【００１８】
このゲーム装置においては、ゲーム要素選択手段により選択され得る各ゲーム要素に関連付けられた状態で、その各ゲーム要素の換算値を換算値記録媒体に記録している。また、換算値決定手段は、置換前の複数のゲーム要素の換算値を換算値記録媒体から読み出し、所定の決定条件に従い、読み出した各換算値から置換前の複数のゲーム要素の換算値を決定する。そして、ゲーム要素置換手段は、その決定された換算値を、換算値特定手段により換算値記録媒体に記録された換算値の中から特定し、特定した換算値に関連付けられたゲーム要素を置換後のゲーム要素とする。本ゲーム装置では、各ゲーム要素とその換算値との対応関係が、置換前と置換後で同じであるので、ゲーム価値の払出率の管理を簡略化することができる。尚、換算値記録媒体には、各ゲーム要素についてゲーム設計時に予め対応付けされた換算値を記録しておくことができる。
【００１９】
また、請求項６の発明は、請求項１、２、３、４又は５のゲーム装置において、上記ゲーム進行手段により進行されるゲーム中に登場しているゲーム要素を記録する登場要素記録媒体を備えており、上記ゲーム要素置換手段は、上記ゲーム要素選択手段により選択された複数のゲーム要素を上記登場要素記録媒体から消去するとともに、上記換算値決定手段により決定された換算値に基づくゲーム要素を、該登場要素記録媒体に記録することを特徴とするものである。
【００２０】
このゲーム装置においては、ゲーム進行手段により進行されるゲーム中に登場しているゲーム要素は、登場要素記録媒体に記録される。すなわち、ゲーム進行手段は、登場要素記録媒体に記録されているゲーム要素をゲーム中に登場させ、ゲームを進行する。そして、ゲーム要素を置換する場合、置換前の複数のゲーム要素は登場要素記録媒体から消去され、置換後のゲーム要素は登場要素記録媒体に記録される。これにより、ゲーム進行手段による置換後のゲームでは、置換前のゲーム要素の代わりに、新たに登場要素記録媒体に記録された置換後のゲーム要素が登場することになる。
尚、「登場要素記録媒体から消去する」とは、登場要素記録媒体であるデータ領域からゲーム要素であるデータを消去する場合に限らない。例えば、ゲーム要素のうち、ゲーム中に登場していることを示す符号等が付加されたゲーム要素が記録されているデータ領域を登場要素記録媒体とする場合、その符号等を消去することも、「登場要素記録媒体から消去する」に含まれる。
【００２１】
また、請求項７の発明は、請求項１、２、３、４、５又は６のゲーム装置において、上記ゲーム要素は、上記ゲーム進行手段が進行するゲームのゲーム画面上に出現し、その種類によって、ゲーム進行をプレイヤーにとって有利又は不利にするために変動するパラメータ情報に関連付けられたものであることを特徴とするものである。
【００２２】
このゲーム装置においては、ゲーム画面上に出現し、その種類によって、ゲーム進行をプレイヤーにとって有利又は不利にするために変動するパラメータ情報をもつゲーム要素について置換することができる。このようなゲーム要素は、例えば、ロールプレイングゲームや育成ゲームなどに登場するキャラクタとして利用される。例えば、種類によって、体力データ、攻撃力データ、守備力データ等のパラメータ情報が異なるゲーム要素である複数のモンスターを１体のモンスターに合体させるようなゲーム性を提供することができる。
【００２３】
また、請求項８の発明は、所定の選択条件に基づいて、ゲーム装置のゲーム進行手段により進行されるゲーム中に登場し、かつ、プレイヤーの所持するゲーム価値の変動に関与し得るゲーム要素を記録するゲーム要素記録媒体に記録されたゲーム要素の中から、複数のゲーム要素を選択するゲーム要素選択手段と、上記ゲーム要素選択手段により選択された複数のゲーム要素をゲーム価値量に換算したときの換算値を、所定の決定条件に従って決定する換算値決定手段と、上記ゲーム要素選択手段により選択された複数のゲーム要素を、上記ゲーム要素記録媒体から消去するとともに、上記換算値決定手段により決定された換算値に基づくゲーム要素を、該ゲーム要素記録媒体に記録するゲーム要素置換手段とを有することを特徴とする情報置換装置である。
【００２４】
この情報置換装置においては、ゲーム要素選択手段により、所定の選択条件に基づいて、ゲーム要素記録媒体に記録されているゲーム要素の中から複数のゲーム要素が選択されることにより、これらゲーム要素は、上述と同様に、ゲーム要素置換手段により、他のゲーム要素に置換されることになる。この情報置換装置を利用することにより、プレイヤーは、所定のゲーム装置で使用していたゲーム要素をゲーム要素記録媒体に記録しておくことで、そのゲーム装置におけるゲーム価値の払出率を把握した状態で、ゲーム要素記録媒体に記録された複数のゲーム要素を新たなゲーム要素に置換することが可能となる。また、この情報置換装置をゲーム装置と別体に構成した場合、例えば、プレイヤーが中断したゲームを再開するためにゲーム要素の情報を含むゲーム情報を可搬型記録媒体に記録できるゲーム装置であれば、その可搬型記録媒体に記録された複数のゲーム要素を、情報置換装置により新たなゲーム要素に置換することができる。このようなゲーム装置は、既に市場に出回っているので、本情報置換装置によれば、このような既存のゲーム装置のゲーム中に登場する複数のゲーム要素についても置換することが可能になる。
【００２５】
また、本情報置換装置をゲーム装置と別体に構成し、そのゲーム装置で使用される可搬型のゲーム要素記録媒体に記録されるゲーム要素を、本情報置換装置により置換することもできる。このような可搬型のゲーム要素記録媒体としては、例えば、プレイヤーがゲームを再開するときに、前回中断したゲームの続きを行うことができるように、中断したゲームのゲーム状態を再開時に復元するための情報を記録した磁気カード等が挙げられる。しかし、この場合には、その可搬型のゲーム要素記録媒体に記録されたゲーム要素が不正にコピーされ、公正なゲームプレイが妨げられるおそれがある。よって、本情報置換装置とゲーム装置とをデータ通信可能に接続し、例えば、本情報置換装置のゲーム要素選択手段により、そのゲーム装置に設けられるゲーム要素記録媒体に記録された複数のゲーム要素を新規なゲーム要素に置換する構成とするのが望ましい。これによれば、ゲーム要素をゲーム装置本体が管理できるので、ゲーム要素の不正コピーを有効に防止することができる。
【００２６】
また、請求項９の発明は、ゲーム装置のゲーム進行手段により進行されるゲーム中に登場し、かつ、プレイヤーの所持するゲーム価値の変動に関与し得るゲーム要素を記録する可搬型のゲーム要素記録媒体を、プレイヤーから受け取る記録媒体受取手段と、上記記録媒体受取手段により受け取った可搬型のゲーム要素記録媒体から、該ゲーム要素記録媒体に記録されたゲーム要素を読み出すゲーム要素読出手段と、上記ゲーム要素読出手段により読み出したゲーム要素の中から、複数のゲーム要素を選択するゲーム要素選択手段と、上記ゲーム要素選択手段により選択された複数のゲーム要素をゲーム価値量に換算したときの換算値を、所定の決定条件に従って決定する換算値決定手段と、上記換算値決定手段により決定された換算値に基づいて、所定のゲームに使用可能な新規なゲーム要素を生成するゲーム要素生成手段と、上記ゲーム要素生成手段により生成した新規なゲーム要素を、可搬型のゲーム要素記録媒体に記録する新規ゲーム要素記録手段と、上記ゲーム要素選択手段により選択された複数のゲーム要素を、上記プレイヤーが利用不可能な状態にするための利用不可能処理手段と、上記新規ゲーム要素記録手段により新規なゲーム要素が記録されたゲーム要素記録媒体を、プレイヤーに引き渡すための記録媒体引渡手段とを備えたことを特徴とする情報合成装置である。
【００２７】
この情報合成装置は、プレイヤーが行ったゲーム中に登場し、かつ、プレイヤーの所持するゲーム価値の変動に関与し得るゲーム要素を記録した可搬型のゲーム要素記録媒体を利用する。このような可搬型のゲーム要素記録媒体としては、例えば、プレイヤーがゲームを再開するときに、前回中断したゲームの続きを行うことができるように、中断したゲームのゲーム状態を再開時に復元するための情報を記録した磁気カード等が挙げられる。そして、本情報合成装置によれば、プレイヤーは、ゲーム装置でのゲームで登場し得るゲーム要素に基づいて、新たなゲーム要素を生成することができる。具体的には、情報合成装置は、このようなゲーム要素を記録する可搬型のゲーム要素記録媒体を、記録媒体受取手段により、プレイヤーから受け取り、その受け取った可搬型のゲーム要素記録媒体から、ゲーム要素読出手段によりゲーム要素を複数読み出す。ここで、可搬型のゲーム要素記録媒体に複数のゲーム要素が記録されている場合には、１つのゲーム要素記録媒体から複数のゲーム要素を読み出してもよい。また、可搬型のゲーム要素記録媒体に１つのゲーム要素しか記録されない場合には、複数のゲーム要素記録媒体からそれぞれゲーム要素を読み出すようにしてもよい。また、読み出される複数のゲーム要素は、互いに、同一のゲーム装置で使用するものでも、異なるゲーム装置で使用するものでもよい。そして、このようにして読み出したゲーム要素の中から、ゲーム要素選択手段により、複数のゲーム要素を選択し、選択した複数のゲーム要素から、ゲーム要素生成手段により、所定のゲームに使用可能な新規なゲーム要素を生成する。そして、ゲーム要素選択手段により選択された複数のゲーム要素は、利用不可能処理手段により利用不可能な状態にされるため、プレイヤーは、新規なゲーム要素を得る代わりに、選択した複数のゲーム要素を利用することができなくなる。利用不可能処理手段としては、例えば、ゲーム要素読出手段により読み出したゲーム要素を可搬型のゲーム要素記録媒体から消去する手段が挙げられる。
【００２８】
ここで、本情報合成装置においても、上述と同様に、換算値決定手段により、ゲーム要素選択手段により選択された複数のゲーム要素をゲーム価値量に換算したときの換算値を、所定の決定条件に従って決定し、その決定された換算値に基づいて新規なゲーム要素を生成する。よって、本情報合成装置により、プレイヤーが複数のゲーム要素の代わりに、新たなゲーム要素を得たとしても、ゲーム装置におけるゲーム価値の払出率を把握することが可能となり、そのゲーム装置におけるゲーム価値の払出率を管理することが可能となる。尚、生成される新規なゲーム要素は、可搬型のゲーム要素記録媒体から読み出したゲーム要素を使用していたゲームのためのものであっても、別のゲームのためのものであってもよい。また、生成された新規なゲーム要素は、新規ゲーム要素記録手段により、可搬型のゲーム要素記録媒体に記録され、そのゲーム要素記録媒体は、記録媒体引渡手段によりプレイヤーに引き渡される。これにより、プレイヤーが、その可搬型のゲーム要素記録媒体に記録された新規なゲーム要素を用いて、対応するゲーム装置でゲームを行うことができる。
【００２９】
このように、本情報合成装置によれば、プレイヤーは、ゲーム装置で使用していた複数のゲーム要素を記録した１又は２以上の可搬型のゲーム要素記録媒体を取得し、その可搬型のゲーム要素記録媒体を情報合成装置に受け渡すことで、そのゲーム装置におけるゲーム価値の払出率を管理可能なまま、その複数のゲーム要素に基づく新たなゲーム要素を記録した可搬型のゲーム要素記録媒体を得ることができる。このような構成を用いれば、様々なゲーム性を提供することが可能となる。例えば、所定のゲーム装置でゲームを行った複数のプレイヤーがそれぞれの可搬型のゲーム要素記録媒体を持ち合って、これらゲーム要素に基づき、新たなゲーム要素を生成することができる。この場合、例えば、ゲーム要素が各プレイヤーが育成したキャラクタの情報である場合、そのプレイヤーらが協同して新たなキャラクタを生成するという今までにないゲーム性を提供することができる。
【００３０】
また、請求項１０の発明は、請求項９の情報合成装置において、上記ゲーム要素選択手段により選択された複数のゲーム要素が互いに同一のゲームに使用されるものか否かを判断する判断手段を有しており、上記ゲーム要素生成手段は、上記判断手段により同一のゲームに登場するものと判断されたとき、上記ゲーム要素が登場するゲームと同一のゲームに使用可能な新規なゲーム要素を生成することを特徴とするものである。
【００３１】
この情報合成装置においては、ゲーム要素選択手段により選択された複数のゲーム要素について、判断手段により、これらゲーム要素が互いに同一のゲームに使用されるものか否かを判断する。そして、同一のゲームに使用されるものと判断されたときに、ゲーム要素生成手段により、その複数のゲーム要素に基づいて、そのゲームに使用可能な新しいゲーム要素を生成する。よって、プレイヤーは、例えば、所定のゲーム装置でゲームしたときに使用していた複数のゲーム要素から新規なゲーム要素を生成し、その新規なゲーム要素を使用して、そのゲーム装置でのゲームを再開することが可能となる。この場合、ゲーム再開時にプレイヤーが予想し得ないゲーム状況を生むことができ、単にゲームを継続して行うものに比べて、ゲームが単調にならず、長期的に高いゲーム性を持続させることが可能となる。
【００３２】
また、請求項１１の発明は、請求項９又は１０の情報合成装置において、上記利用不可能処理手段は、上記記録媒体受取手段により受け取った可搬型のゲーム要素記録媒体を回収する記録媒体回収手段を有することを特徴とするものである。
【００３３】
この情報合成装置においては、利用不可能処理手段として、記録媒体回収手段を用い、記録媒体受取手段により受け取った可搬型のゲーム要素記録媒体をプレイヤーから回収する。これにより、プレイヤーは、新たに生成されるゲーム要素を記録した可搬型のゲーム要素記録媒体を得る代わりに、記録媒体受取手段に受け渡した可搬型のゲーム要素記録媒体を失うことになる。すなわち、プレイヤーは、記録媒体受取手段に受け渡した可搬型のゲーム要素記録媒体に記録されたゲーム要素を利用することができなくなる。尚、新たに生成したゲーム要素が記録される可搬型のゲーム要素記録媒体は、記録媒体回収手段により回収した可搬型のゲーム要素記録媒体を流用しても、全く別の新規な可搬型のゲーム要素記録媒体を利用してもよい。本情報合成装置によれば、プレイヤーは、今までのゲームで使用してきた可搬型のゲーム要素記録媒体を、新規なゲーム要素を記録した新しい可搬型のゲーム要素記録媒体に交換するという今までにないゲーム性を提供することができる。特に、１つの可搬型のゲーム要素記録媒体につき、１つのゲーム要素が記録されている場合には、複数の可搬型のゲーム要素記録媒体から新しい１つの可搬型のゲーム要素記録媒体を作り出すという、従来のゲームでは味わったことがない新鮮な感覚をプレイヤーに与えることができる。
【００３４】
また、請求項１２の発明は、請求項９、１０又は１１の情報合成装置において、上記新規ゲーム要素記録手段は、上記新規なゲーム要素を、上記記録媒体受取手段により受け取った可搬型のゲーム要素記録媒体とは異なる別個の可搬型のゲーム要素記録媒体に記録することを特徴とするものである。
【００３５】
この情報合成装置においては、記録媒体受取手段により受け取った可搬型記録媒体とは異なる別個のゲーム要素記録媒体に新規なゲーム要素が記録され、そのゲーム要素記録媒体がプレイヤーに引き渡される。よって、例えば、記録媒体受取手段により受け取った可搬型記録媒体とは異なる形状、模様、色等の可搬型のゲーム要素記録媒体を使用することが可能となる。この場合、その可搬型のゲーム要素記録媒体を見るだけで、本情報合成装置により新たに生成されたゲーム要素が記録されたものと、ゲーム装置で使用していたゲーム要素が記録されたものとを区別することができる。また、形状、模様、色等が異なる複数種の可搬型のゲーム要素記録媒体を用意することも可能となり、例えば、生成されたゲーム要素を、その内容に応じてそれぞれ異なる可搬型のゲーム要素記録媒体に記録すれば、その可搬型のゲーム要素記録媒体の形状等の違いにより、例えば、良いゲーム要素が生成されたか否かを判断することも可能となる。また、受け取った可搬型記録媒体とは異なる形状等の可搬型のゲーム要素記録媒体を使用できることで、その可搬型記録媒体が対応していないゲーム装置で使用できる新規なゲーム要素を生成することも可能になる。これにより、共通の可搬型記録媒体が利用できないゲーム機間においても、そのゲーム要素を利用することが可能となり、更に多様なゲーム性を提供することが可能となる。
【００３６】
また、請求項１３の発明は、請求項９、１０又は１１の情報合成装置において、上記新規ゲーム要素記録手段は、上記記録媒体受取手段により受け取った可搬型のゲーム要素記録媒体に、上記新規なゲーム要素を記録することを特徴とするものである。
【００３７】
この情報合成装置においては、記録媒体受取手段により受け取った可搬型のゲーム要素記録媒体に、新規なゲーム要素を記録し、これをプレイヤーに引き渡す。これにより、新たな可搬型の新規記録媒体に記録する場合に比べて、コストの低減を図ることができる。
【００３８】
また、請求項１４の発明は、請求項９、１０、１１、１２又は１３の情報合成装置において、上記ゲーム要素は、ゲーム進行をプレイヤーにとって有利又は不利にするために変動するパラメータ情報に関連付けられたものであることを特徴とするものである。
【００３９】
この情報合成装置においては、ゲーム進行をプレイヤーにとって有利又は不利にするために変動するパラメータ情報に関連付けられた複数のゲーム要素から、新規なゲーム要素を生成することができる。このようなゲーム要素は、例えば、ロールプレイングゲームや育成ゲームなどに登場するキャラクタとして利用される。このようなゲームにおいて、プレイヤーは、ゲームを行うことで独自のゲーム要素（キャラクタ）を得ることが可能である。このとき、例えば、本情報合成装置により、そのゲームでは得ることができない特殊なゲーム要素（キャラクタ）を得ることができる構成とすれば、そのゲームでキャラクタを育成した後、そのキャラクタから特殊なキャラクタを得るというような新たなゲーム性を提供することが可能となる。例えば、ゲーム要素であるモンスターを使用して冒険するようなゲーム内容をもつロールプレイングゲームを例に挙げると、ゲーム中に獲得したモンスターを合体させることで、ゲーム中では獲得できない特殊モンスターを獲得できるようなゲーム内容を実現することができる。また、例えば、ゲーム要素である競走馬を育成してレースに出走させるようなゲーム内容をもつ競馬シュミレーションゲームを例に挙げると、ゲーム中に育成した牡馬の競走馬と牝馬の競走馬から、新規なゲーム要素である新馬を得ることができるようなゲーム内容を実現することもできる。
【００４０】
また、請求項１５の発明は、請求項１４の情報合成装置において、上記ゲーム要素生成手段は、上記ゲーム要素選択手段により選択された複数のゲーム要素に対応する各ゲーム要素の特徴的なパラメータ情報に関連付けられた新規なゲーム要素を生成することを特徴とするものである。
【００４１】
この情報合成装置においては、ゲーム要素選択手段により選択された複数のゲーム要素に対応する各ゲーム要素の特徴的なパラメータ情報に関連付けられた新規なゲーム要素が生成される。これにより、プレイヤーは、可搬型のゲーム要素記録媒体に記録されたゲーム要素と、強い関連性をもつ新たなゲーム要素を得ることができる。よって、プレイヤーは、ある程度予測を立てて、新たなゲーム要素を取得することが可能となる。この結果、本情報合成装置の利用を繰り返すことで、各プレイヤーの意向に添った独自のゲーム要素を得ることが可能となるというゲーム性を提供することが可能となる。
【００４２】
また、請求項１６の発明は、請求項９、１０、１１、１２、１３、１４又は１５の情報合成装置において、プレイヤーからゲームの対価を受け取る対価受取手段を有し、上記記録媒体引渡手段は、上記対価受取手段により所定の対価を受け取ることを条件に、上記新規なゲーム要素が記録されたゲーム要素記録媒体をプレイヤーに引き渡すことを特徴とするものである。
【００４３】
この情報合成装置は、対価受取手段によりプレイヤーからゲームの対価を受け取ることを条件に、新規なゲーム要素を記録した可搬型のゲーム要素記録媒体をプレイヤーに引き渡す。よって、プレイヤーは、新規なゲーム要素を記録した可搬型のゲーム要素記録媒体を得るためには、対価を支払わなければならない。この対価は、硬貨等の貨幣やメダルあるいはこれらに相当する電子データなど、ゲームの対価として支払われるものである。
【００４４】
また、請求項１７の発明は、プレイヤーの所持するゲーム価値を受け取るゲーム価値受取手段と、プレイヤーに対してゲーム価値を払い出すゲーム価値払出手段とを備え、プレイヤーの所持するゲーム価値の変動に関与し得る複数のゲーム要素が登場するゲームを実行するゲーム装置の制御方法において、所定の選択条件に基づいて、ゲーム中に登場しているゲーム要素の中から複数のゲーム要素を選択するゲーム要素選択工程と、上記ゲーム要素選択工程で選択された複数のゲーム要素をゲーム価値量に換算したときの換算値を、所定の決定条件に従って決定する換算値決定工程と、上記ゲーム要素選択工程で選択された複数のゲーム要素を、上記換算値決定工程で決定された換算値に基づくゲーム要素に置換するゲーム要素置換工程とを有することを特徴とするものである。
【００４５】
この制御方法においては、上記請求項１のゲーム装置がもつ各手段と同様の処理を実行することができるので、プレイヤーがプレイしているゲーム中に登場している複数のゲーム要素を、そのゲームにおけるゲーム価値の払出率を管理できる状態で、新たなゲーム要素に置き換えることが可能となる。
【００４６】
また、請求項１８の発明は、ゲーム装置のゲーム進行手段により進行されるゲーム中に登場し、かつ、プレイヤーの所持するゲーム価値の変動に関与し得るゲーム要素を記録するゲーム要素記録媒体に記録された情報を置換するための情報置換方法において、所定の選択条件に基づいて、上記ゲーム要素記録媒体に記録されたゲーム要素の中から、複数のゲーム要素を選択するゲーム要素選択工程と、上記ゲーム要素選択工程で選択された複数のゲーム要素をゲーム価値量に換算したときの換算値を、所定の決定条件に従って決定する換算値決定工程と、上記ゲーム要素選択工程で選択された複数のゲーム要素を、上記ゲーム要素記録媒体から消去するとともに、上記換算値決定工程で決定された換算値に基づくゲーム要素を、該ゲーム要素記録媒体に記録するゲーム要素置換工程とを有することを特徴とするものである。
【００４７】
この情報置換方法においては、上記請求項８の情報置換装置がもつ各手段と同様の処理を実行することができるので、例えば、既存のゲーム装置で利用される可搬型記録媒体に記録されている複数のゲーム要素を、そのゲームにおけるゲーム価値の払出率を管理できる状態で、新たなゲーム要素に置き換えることが可能となる。また、本情報置換方法を実現する装置をゲーム装置と別体に構成し、これらをデータ通信可能に接続した場合、ゲーム装置とは別の場所からそのゲーム装置内に保存されている複数のゲーム要素を、本情報置換方法を実現する装置により新たなゲーム要素に置換することも可能となる。
【００４８】
また、請求項１９の発明は、ゲーム装置のゲーム進行手段により進行されるゲーム中に登場し、かつ、プレイヤーの所持するゲーム価値の変動に関与し得るゲーム要素を記録する可搬型のゲーム要素記録媒体を、プレイヤーから受け取る記録媒体受取工程と、上記記録媒体受取工程で受け取った可搬型のゲーム要素記録媒体から、該ゲーム要素記録媒体に記録されたゲーム要素を読み出すゲーム要素読出工程と、上記ゲーム要素読出工程で読み出したゲーム要素の中から、複数のゲーム要素を選択するゲーム要素選択工程と、上記ゲーム要素選択工程で選択された複数のゲーム要素をゲーム価値量に換算したときの換算値を、所定の決定条件に従って決定する換算値決定工程と、上記換算値決定工程で決定された換算値に基づいて、所定のゲームに使用可能な新規なゲーム要素を生成するゲーム要素生成工程と、上記ゲーム要素生成工程で生成した新規なゲーム要素を、可搬型のゲーム要素記録媒体に記録する新規ゲーム要素記録工程と、上記ゲーム要素選択工程で選択された複数のゲーム要素を、上記プレイヤーが利用不可能な状態にするための利用不可能処理工程と、上記新規ゲーム要素記録工程で新規なゲーム要素が記録されたゲーム要素記録媒体を、プレイヤーに引き渡すための記録媒体引渡工程とを有することを特徴とする情報合成方法である。
【００４９】
この情報合成方法においては、上記請求項９の情報合成装置がもつ各手段と同様の処理を実行することができるので、可搬型のゲーム要素記録媒体に記録された複数のゲーム要素から生成した新たなゲーム要素を記録した可搬型の新規情報記録媒体をプレイヤーに引き渡すことができる。このとき、そのゲーム要素が使用されるゲーム装置におけるゲーム価値の払出率の管理が可能であるので、店舗の安定した収益を確保することができる。
【００５０】
また、請求項２０の発明は、プレイヤーの所持するゲーム価値を受け取るゲーム価値受取手段と、プレイヤーに対してゲーム価値を払い出すゲーム価値払出手段と、プレイヤーの所持するゲーム価値の変動に関与し得る複数のゲーム要素が登場するゲームを進行するゲーム進行手段とを備えたゲーム装置に設けられるコンピュータを機能させるためのプログラムにおいて、所定の選択条件に基づいて、上記ゲーム進行手段により進行されるゲーム中に登場しているゲーム要素の中から、複数のゲーム要素を選択するゲーム要素選択手段、上記ゲーム要素選択手段により選択された複数のゲーム要素をゲーム価値量に換算したときの換算値を、所定の決定条件に従って決定する換算値決定手段、及び上記ゲーム要素選択手段により選択された複数のゲーム要素を、上記換算値決定手段により決定された換算値に基づくゲーム要素に置換するゲーム要素置換手段として、上記コンピュータを機能させることを特徴とするものである。
【００５１】
このプログラムは、ゲーム価値受取手段、ゲーム価値払出手段及びプレイヤーの所持するゲーム価値の変動に関与し得る複数のゲーム要素が登場するゲームを進行するゲーム進行手段とを備えるゲーム装置に設けられるコンピュータに実行されることで、上記請求項１のゲーム装置と同様に、プレイヤーがプレイしているゲーム中に登場している複数のゲーム要素を、そのゲームにおけるゲーム価値の払出率を管理できる状態で、新たなゲーム要素に置き換えることが可能となる。
【００５２】
また、請求項２１の発明は、ゲーム装置のゲーム進行手段により進行されるゲーム中に登場し、かつ、プレイヤーの所持するゲーム価値の変動に関与し得るゲーム要素を記録するゲーム要素記録媒体に記録された情報を置換するための情報置換装置に設けられるコンピュータを機能させるためのプログラムにおいて、所定の選択条件に基づいて、上記ゲーム要素記録媒体に記録されたゲーム要素の中から、複数のゲーム要素を選択するゲーム要素選択手段、上記ゲーム要素選択手段により選択された複数のゲーム要素をゲーム価値量に換算したときの換算値を、所定の決定条件に従って決定する換算値決定手段、及び上記ゲーム要素選択手段により選択された複数のゲーム要素を、上記ゲーム要素記録媒体から消去するとともに、上記換算値決定手段により決定された換算値に基づくゲーム要素を、該ゲーム要素記録媒体に記録するゲーム要素置換手段として、上記コンピュータを機能させることを特徴とするものである。
【００５３】
このプログラムは、請求項８の情報置換装置に設けられるコンピュータに実行されることで、例えば、既存のゲーム装置で利用される可搬型記録媒体に記録されている複数のゲーム要素を、そのゲームにおけるゲーム価値の払出率を管理できる状態で、新たなゲーム要素に置き換えることが可能となる。また、本プログラムを実行するコンピュータを備えた装置をゲーム装置と別体に構成し、これらをデータ通信可能に接続した場合、ゲーム装置とは別の場所からそのゲーム装置内に保存されている複数のゲーム要素を、本プログラムを実行するコンピュータを備えた装置により新たなゲーム要素に置換することも可能となる。
【００５４】
また、請求項２２の発明は、ゲーム装置のゲーム進行手段により進行されるゲーム中に登場し、かつ、プレイヤーの所持するゲーム価値の変動に関与し得るゲーム要素を記録する可搬型のゲーム要素記録媒体を、プレイヤーから受け取る記録媒体受取手段を備えた情報合成装置に設けられるコンピュータを機能させるためのプログラムであって、上記記録媒体受取手段により受け取った可搬型のゲーム要素記録媒体から、該ゲーム要素記録媒体に記録されたゲーム要素を読み出すゲーム要素読出手段、上記ゲーム要素読出手段により読み出したゲーム要素の中から、複数のゲーム要素を選択するゲーム要素選択手段、上記ゲーム要素選択手段により選択された複数のゲーム要素をゲーム価値量に換算したときの換算値を、所定の決定条件に従って決定する換算値決定手段、上記換算値決定手段により決定された換算値に基づいて、所定のゲームに使用可能な新規なゲーム要素を生成するゲーム要素生成手段、上記ゲーム要素生成手段により生成した新規なゲーム要素を、可搬型のゲーム要素記録媒体に記録する新規ゲーム要素記録手段、上記ゲーム要素選択手段により選択された複数のゲーム要素を、上記プレイヤーが利用不可能な状態にするための利用不可能処理手段、及び上記新規ゲーム要素記録手段により新規なゲーム要素が記録されたゲーム要素記録媒体を、プレイヤーに引き渡すための処理を行う記録媒体引渡処理手段として、上記コンピュータを機能させることを特徴とするものである。
【００５５】
このプログラムは、請求項９の情報合成装置に設けられるコンピュータに実行されることで、可搬型のゲーム要素記録媒体に記録された複数のゲーム要素から生成した新たなゲーム要素を記録した可搬型の新規情報記録媒体をプレイヤーに引き渡すことができる。このとき、そのゲーム要素が使用されるゲーム装置におけるゲーム価値の払出率の管理が可能であるので、店舗の安定した収益を確保することができる。
【００５６】
尚、請求項２０、２１及び２２のプログラムは、ＣＤ−ＲＯＭ等の記録媒体に記録された状態で配布したり、入手したりすることができる。また、このプログラムを乗せ、所定の送信装置により送信された信号を、公衆電話回線や専用線、その他の通信網等の伝送媒体を介して配信したり、受信したりすることでも、配布、入手が可能である。この配信の際、伝送媒体中には、コンピュータプログラムの少なくとも一部が伝送されていればよい。すなわち、コンピュータプログラムを構成するすべてのデータが、一時に伝送媒体上に存在している必要はない。このプログラムを乗せた信号とは、コンピュータプログラムを含む所定の搬送波に具現化されたコンピュータデータ信号である。また、所定の送信装置からコンピュータプログラムを送信する送信方法には、プログラムを構成するデータを連続的に送信する場合も、断続的に送信する場合も含まれる。
【発明の効果】
【００５７】
請求項１乃至２２の発明によれば、プレイヤーの所有するゲーム価値の変動に関与し得る複数のゲーム要素を合体させる等して、プレイヤーが新たなゲーム要素を得る場合でも、その合体等の前と後で、そのゲーム装置におけるゲーム価値の払出率を把握でき、その払出率の管理が可能であるので、店舗の安定した収益を確保することが可能となるという優れた効果がある。
【００５８】
特に、請求項２の発明によれば、比較的容易にゲーム価値の払出率の管理が可能となるという優れた効果がある。
【００５９】
また、請求項３の発明によれば、ゲーム要素を置換するゲーム性を向上させることができるという優れた効果がある。
【００６０】
また、請求項４の発明によれば、ゲーム要素を置換するゲーム性を向上させることができるとともに、ゲーム価値の払出率の管理を比較的容易にすることが可能となるという優れた効果がある。
【００６１】
また、請求項５の発明によれば、ゲーム要素とその換算値との対応関係が、置換前と置換後で同じであるので、ゲーム価値の払出率の管理を簡略化することができるという優れた効果がある。
【００６２】
また、請求項６の発明によれば、ゲーム中に登場している複数のゲーム要素を合体させる等して新たなゲーム要素に置換するという構成を容易に実現することができるという優れた効果がある。
【００６３】
また、請求項７の発明によれば、特にロールプレイングゲームや育成ゲームなどのゲーム性を向上することができるという優れた効果がある。
【００６４】
また、請求項８乃至１６並びに１８、１９、２１及び２２の発明によれば、ゲーム装置とは別個独立に、そのゲーム装置が実行するゲームに使用される複数のゲーム要素から、新たなゲーム要素を得るという今までにないゲーム性を提供することが可能となるという優れた効果がある。
【００６５】
また、請求項９乃至１６並びに１９及び２２の発明によれば、プレイヤーは、ゲーム装置で使用していた複数のゲーム要素を記録した可搬型のゲーム要素記録媒体から、その複数のゲーム要素に基づく新たなゲーム要素を記録した新規な可搬型のゲーム要素記録媒体を得ることができ、これにより、今までにない様々なゲーム性を提供することが可能となるという優れた効果がある。
【００６６】
また、請求項１０の発明によれば、同じゲーム要素を使用したままゲームを継続して行うものに比べて、ゲームが単調にならず、長期的に高いゲーム性を持続させることが可能となるという優れた効果がある。
【００６７】
また、請求項１１の発明によれば、今まで使用してきたゲーム要素を記録した可搬型のゲーム要素記録媒体を、新規なゲーム要素を記録した新しい可搬型のゲーム要素記録媒体に交換するという今までにないゲーム性を提供することができるという優れた効果がある。
【００６８】
また、請求項１２の発明によれば、可搬型のゲーム要素記録媒体を見るだけで、その記録媒体に記録された情報の内容を把握することが可能となるという優れた効果がある。また、共通の可搬型のゲーム要素記録媒体が利用できないゲーム機間においても、そのゲーム要素を利用することが可能となり、更に多様なゲーム性を提供することが可能となるという優れた効果もある。
【００６９】
また、請求項１３の発明によれば、新たな可搬型のゲーム要素記録媒体をプレイヤーに引き渡す場合に比べて、コストの低減を図ることができるという優れた効果がある。
【００７０】
また、請求項１４の発明によれば、ゲームでゲーム要素を育成した後、その自己のゲーム要素に基づいて、そのゲーム中では得られない特殊なゲーム要素を得るというような新たなゲーム性を提供することが可能となるという優れた効果がある。
【００７１】
また、請求項１５の発明によれば、プレイヤーの意向に沿った独自色の強いゲーム要素を得ることが可能となるという優れた効果がある。
【発明を実施するための最良の形態】
【００７２】
〔実施形態１〕
以下、本発明を、ロールプレイングゲームを実行するゲーム装置であるメダルゲーム機に適用した実施形態（以下、本実施形態を「実施形態１」とする。）について説明する。実施形態１に係るメダルゲーム機では、プレイヤーが操作対象であるゲーム主人公の戦士キャラクタ（以下、「主人公」という。）を操作し、ダンジョン内に出現する宝石を拾って、そのダンジョンから脱出することをゲーム目的とする探検ゲームが展開される。そのダンジョンでは、主人公の行く手を阻むゲーム要素としての敵モンスターが出現するので、プレイヤーは、その敵モンスターに倒されることなく、ダンジョンを脱出できるように主人公を操作する。プレイヤーに操作される主人公は、敵モンスターに対抗するため、敵モンスターを攻撃したり、ゲーム要素としての種々のアイテムや魔法カードを使用したり、ゲーム要素としての味方モンスターを召還させてその味方モンスターを敵モンスターとの戦闘に参加させたりしながら、ダンジョン内を進み、脱出を試みる。また、本探検ゲームには、複数のダンジョンが用意されており、各プレイヤーは、すべてのダンジョンのクリアを目指す。
【００７３】
また、実施形態１に係るメダルゲーム機では、ダンジョンの他に城を占領することをゲーム目的とするゲームも展開される。このゲームでは、プレイヤーが城の占領に成功すると、その城の城主となることができ、城主となったプレイヤーは、自分の城を占領するために挑戦してくる他のプレイヤーと、一種の対戦ゲームを行うことができる。尚、この対戦ゲームのゲーム進行内容は、上記探検ゲームのものと同様であり、また、本対戦ゲームには、複数の城が用意されており、各プレイヤーは、これらの城の中から挑戦する城を選択し、その城の占領を目指す。
【００７４】
以下、実施形態１に係るメダルゲーム機全体の構成について説明する。
図２は、実施形態１に係るメダルゲーム機全体の概略構成図である。このゲーム機は、各プレイヤーが操作する１２個のゲームユニット１と、これらゲームユニット１を統括的に制御する中央制御装置２０とで構成されている。プレイヤーは、ゲーム価値であるメダルをゲームユニット１に投入することで、そのゲームユニット１でのゲームに参加することができる。各ゲームユニット１は、ＬＡＮケーブル等の通信ラインにより、中央制御装置２０に接続されている。本メダルゲーム機では、最大１２人のプレイヤーが同時にゲームをプレイすることが可能である。また、中央制御装置２０は、１２個のゲームユニット１のうちの１つのゲームユニット内部に配置されている。
【００７５】
図３は、ゲームユニット１の外観図である。ゲームユニット１は、ゲームの進行に応じたゲーム画面を表示する表示手段としてのディスプレイ２と、ゲームの進行に応じた効果音やバックミュージック等の音を流すスピーカー３と、プレイヤーがゲーム画面上に出現する主人公の動きを操作するための操作手段である操作レバー４及び３つの操作ボタン５ａ，５ｂ，５ｃと、メダルの払出し等を行うためのペイアウトボタン５ｄと、後述する可搬型のゲーム要素記録媒体としての磁気カードを取り出してゲームを終了するための保存終了ボタン５ｅとが設けられている。プレイヤーは、ディスプレイ２に表示されるゲーム画面を見ながら、操作レバー４及び３つの操作ボタン５ａ，５ｂ，５ｃを操作することで、そのゲーム画面上に出現する主人公を移動させたり、アイテムを使用したりすることができる。また、ゲームユニット１には、プレイヤーが支払うメダルを受け取るためのゲーム価値受取手段としてのメダル投入口６、プレイヤーに対してメダルを払い出すためのゲーム価値払出手段としてのメダル払出ロ７、ゲームを終了したプレイヤーが次回のプレイ時にゲームの続きを行うために、そのプレイヤーの個人情報や終了時のゲーム状態等を記録する磁気カード９を挿入したり、取り出したりするためのカード挿入取出口８なども設けられている。
【００７６】
図４は、ゲームユニット１内部の概略構成を示すブロック図である。ゲームユニット１は、ゲームユニット１内の各部を制御するメイン基板１０と、ディスプレイ２の画像表示を制御するための画像表示制御部１１と、スピーカー３で流す音を制御するための音響制御部１２と、操作レバー４や操作ボタン５ａ，５ｂ，５ｃ及びペイアウトボタン５ｄ並びに保存終了ボタン５ｅからの信号を受け取って所定の制御信号に変換する操作制御部１３と、カード挿入取出口８に挿入された磁気カード９に対してデータの書き込み及び読み出しを行う磁気カード書込読出部１４と、ペイアウトボタン５ｄの操作に応じてメダルの払い出し等を制御するためのメダル払出制御部１５とを有する。また、ゲームユニット１には、メダル枚数を電子データに変換したゲーム価値であるクレジットデータ等の各種データを一時的に記録するＲＡＭ１６や、上記探検ゲーム及び上記対戦ゲームに必要なゲーム実行プログラム等および各種データベースが格納された換算値記録媒体としてのＲＯＭ１７なども設けられている。メイン基板１０は、画像表示制御部１１、音響制御部１２、操作制御部１３、磁気カード書込読出部１４、メダル払出制御部１５、ＲＡＭ１６及びＲＯＭ１７に、それぞれ接続されている。また、メイン基板１０は、インターフェース１８を介して、中央制御装置２０に接続されており、中央制御装置２０の後述する中央制御基板２１とのデータ通信が可能となっている。
【００７７】
図５は、中央制御装置２０の概略構成を示すブロック図である。中央制御装置２０は、各ゲームユニット１のメイン基板１０との間で双方向データ通信を行い、本メダルゲーム機全体を制御する中央制御基板２１と、各ゲームユニット１で行われる各ゲームを統括的に制御するための制御プログラム等を記録したプログラム用ＲＯＭ２２と、各種データベースを記録したデータベース用ＲＯＭ２３とを有する。また、中央制御基板２１は、インターフェース２４を介して、各ゲームユニット１のメイン基板１０に接続されており、各メイン基板１０とのデータ通信が可能となっている。
【００７８】
本メダルゲーム機において、プレイヤーがゲームを終了する場合には、次回のゲーム再開時に、その終了時のゲーム状態を復元させるためのゲーム状態情報であるゲーム状態データを、ゲーム状態記録手段としての磁気カード書込読出部１４によりゲーム状態記録媒体としての磁気カード９に記録する。このゲーム状態データには、プレイヤーネーム（主人公の名前）、最終プレイ時間、主人公の能力、プレイヤーが所有するアイテムや味方モンスターの種類等のプレイヤー情報と、ゲーム終了時の主人公がいるダンジョン又は城の種類、そのダンジョン又は城内における主人公、敵モンスター又はゲーム状態変更要素としてのアイテムの位置等のフィールドデータ等のゲーム情報などが含まれる。一方、プレイヤーが一度終了したゲームの続きを行う場合には、自分の磁気カード９をカード挿入取出口８に挿入する。これにより、ゲーム状態読出手段としての磁気カード書込読出部１４は、その磁気カード９に記録されたゲーム状態データを読み取る。このゲーム状態データは、ＲＡＭ１６に記録され、ＲＯＭ１７に記録されたゲーム実行プログラムに読み込まれる。これにより、プレイヤーは、ゲーム実行プログラムが実行するゲーム進行手段としてのメイン基板１０により進行されるゲームにおいて、前回の続きのゲーム状態からプレイを再開することができる。
【００７９】
尚、磁気カード９に全てのゲーム状態データを記録する必要はなく、例えば、磁気カード９にプレイヤーＩＤを記録しておき、プレイヤー特定情報であるプレイヤーＩＤに対応するゲーム状態データの一部又は全部を、中央制御装置２０のゲーム状態記録媒体としてのデータベース用ＲＯＭ２３に記録しておくようにしてもよい。この場合、磁気カード９からプレイヤーＩＤを読み取った後、そのプレイヤーＩＤに対応するゲーム状態データを、中央制御装置２０からゲームユニット１のＲＡＭ１６にダウンロードすることで、上記と同様に、前回の続きのゲーム状態からプレイを再開することができる。
【００８０】
次に、本メダルゲーム機の各ゲームユニット１で行われるゲームの流れについて説明する。
図６は、各ゲームユニット１のＲＯＭ１７に格納されているゲーム実行プログラムを実行するメイン基板１０によるゲームの流れを示すフローチャートである。プレイヤーは、ゲームに参加する場合、まず磁気カード９をカード挿入取出口８に挿入する（Ｓ１）。初めてプレイする場合には、プレイヤーは、本メダルゲーム機が設置されているゲームセンタ等の店員あるいは自動販売機などから、新規な磁気カード９を入手し、その磁気カード９をカード挿入取出口８に挿入する。また、前回のゲームの続きをしようとするプレイヤーは、前回終了時のゲーム状態データに記録した磁気カード９をカード挿入取出口８に挿入する。このようにして磁気カード９を受け取ったゲームユニット１は、磁気カード書込読出部１４により、磁気カード９の記録内容を読み出し、そのデータをメイン基板１０に送る。メイン基板１０は、受け取った記録内容に応じて、新規なプレイか否かを判断する（Ｓ２）。
【００８１】
上記Ｓ３により新規プレイでないと判断された場合、メイン基板１０は、図７に示すように、中央制御基板２１に対して、磁気カード９に記録されたゲーム状態データが有するプレイヤーＩＤのＩＤ番号を送信する。これを受信した中央制御基板２１は、前回の続きであると判断し、そのメイン基板１０に対して、新規なＩＤ番号を返信する。この新規ＩＤ番号を受信したメイン基板１０は、磁気カード書込読出部１４により、磁気カード９に記録されたゲーム状態データを読み出し（Ｓ４）、これをＲＡＭ１６に記録する。そして、メイン基板１０は、そのゲーム状態データに基づき、ＲＯＭ１７に記録されたプログラムをロードし、画像表示制御部１１により、ディスプレイ２に、前回の続きのゲーム画面が表示させて、ゲームが開始され（Ｓ５）、ゲームが進行する。
【００８２】
一方、上記Ｓ２により新規プレイであると判断された場合、メイン基板１０は、図８に示すように、中央制御基板２１に対して、ダミーＩＤを送信する。これを受信した中央制御基板２１は、新規プレイと認識し、そのメイン基板１０に対して、新規なＩＤ番号を返信する。この新規ＩＤ番号を受信したメイン基板１０は、初期情報の入力及び設定を行う（Ｓ３）。この初期情報の入力及び設定では、画像表示制御部１１により、ディスプレイ２に、図９（ａ）に示す名前入力画面を表示させる。プレイヤーは、操作レバー４及び操作ボタン５ａを操作し、その名前入力画面に表示されている５０音ボタンのカーソルを移動させて、主人公の名前を入力する。入力後、名前入力画面中の決定ボタンを選択すると、図９（ｂ）に示す名前確認画面が表示され、その画面中のＹｅｓボタンを選択することで名前を決定する。次に、ディスプレイ２には、図９（ｃ）に示す職業選択画面が表示される。この画面では、プレイヤーが操作する主人公の職業を選択する。以上の入力又は選択の操作内容は、操作制御部１３からメイン基板１０に送られ、プレイヤー情報としてＲＡＭ１６に記録される。
【００８３】
このようにして初期情報の入力・設定処理が終了したら、メイン基板１０によりゲームが開始され（Ｓ５）、画像表示制御部１１により、ディスプレイ２に、図１０に示すメインメニュー画面が表示される。このメインメニュー画面には、ダンジョンを探検する探検ゲームボタンと、他人が所有する城に挑戦する対戦ゲームボタンと、これらゲーム中に使用できる魔法カードの一覧を表示させるカード一覧ボタンとが用意されている。この画面で、プレイヤーは、探検ゲームをするか、対戦ゲームをするかを選択する。
【００８４】
ここで、プレイヤーが探検ゲームを選択した場合、メイン基板１０は、画像表示制御部１１により、ディスプレイ２に、図１１に示すダンジョン選択画面を表示させ、ダンジョン選択処理を実行する。このダンジョン選択画面には、各ダンジョンを示す表示エリアが表示される。そして、プレイヤーは、操作レバー４でカーソルを移動させることにより、挑戦するダンジョンを選択する。各表示エリアには、それぞれダンジョン名と、挑戦するのに必要なメダル枚数（挑戦費用）が表示されている。各ダンジョンでは、それぞれ、そのダンジョン名に由来するゲーム展開がなされ、互いに異なるゲームが進行される。プレイヤーが、例えば、ゆかいなダンジョンを選択した場合、図示の画面上方部分に、選択されたダンジョンが表示される。そして、プレイヤーは、この選択したダンジョンに挑戦することを決めたら、操作ボタン５ａを押す。このボタン操作は、操作制御部１３からメイン基板１０に送られる。そして、メイン基板１０は、ＲＡＭ１６に記録されているクレジットデータを、挑戦費用に相当する分だけ減少させる。
【００８５】
具体的に説明すると、ゲームユニット１のＲＯＭ１７は、各ダンジョンのゲーム内容を含むゲーム情報としてのダンジョンデータを記録したダンジョン情報データベースを記録するデータ領域を有している。このダンジョン情報データベースには、ダンジョンデータを特定するためのダンジョン名データに関連付けて、挑戦費用データがそれぞれ記録されている。メイン基板１０は、図１１に示したダンジョン選択画面で選択されたダンジョンに関するダンジョン選択信号を操作制御部１３から受け取ると、プレイヤーにより選択されたダンジョン名を認識する。また、このダンジョン選択信号を操作制御部１３から受け取ることにより、メイン基板１０は、上記ダンジョン情報データベースからダンジョン名データを選択し、このダンジョン名データに対応した挑戦費用データを読み出す。そして、メイン基板１０は、この読み出した挑戦費用データに相当するクレジット分を、ＲＡＭ１６に記録されたクレジットデータから減らす処理を行う。以下、クレジットデータを増減させる処理についても、上記と同様に行われる。
【００８６】
ここで、ＲＡＭ１６に記録されているクレジットデータが、挑戦費用データに相当するクレジット分に満たない場合、プレイヤーに対してメダルの追加投入を促す画面を表示させる。メダルが投入されたら（Ｓ６）、図示しないメダル投入センサによりメダル枚数が検出され、メイン基板１０は、そのメダル投入枚数に応じたクレジットデータをＲＡＭ１６に記録する（Ｓ７）。尚、メダル投入を促しても、メダルが投入されない場合には、そのダンジョンへの挑戦を許可しない。以下、クレジットデータを減らす処理が行われるときにも、上記と同様にメダル投入を促す。
【００８７】
また、メイン基板１０は、ダンジョン選択信号からダンジョン名を認識すると、上記ダンジョン情報データベースから、そのダンジョン名データに対応するダンジョンデータを読み出す。そして、そのダンジョンデータに基づいたプログラムをロードして、画像表示制御部１１により、ディスプレイ２にゲーム画面を表示させる。
【００８８】
一方、図１０に示したメインメニュー画面で、プレイヤーが対戦ゲームを選択した場合、メイン基板１０は、画像表示制御部１１により、ディスプレイ２に、図１２に示す城選択画面を表示させ、城選択処理を実行する。この城選択画面には、各城を示す表示エリアが表示される。そして、プレイヤーは、操作レバー４でカーソルを移動させることにより、挑戦する城を選択する。各表示エリアには、それぞれ城名と、挑戦費用が表示されている。各城では、それぞれ、互いに異なるゲームの進行状態が用意されており、種々のゲーム展開がなされる。また、各城では、それぞれ、過去に城の占領に成功したプレイヤーが城主となっており、プレイヤーは、その城主であるプレイヤーと対戦することになる。
具体的に説明すると、中央制御装置のデータベース用ＲＯＭ２３は、各城のゲーム内容を含むゲーム情報としての城データを記録した城情報データベースを記録するデータ領域を有している。この城情報データベースに記録されている城データに含まれる城名データには、プレイヤー特定情報である城主のＩＤが関連付けされている。
【００８９】
図１３及び図１４は、城選択処理におけるメイン基板１０と中央制御基板２１との間のデータ通信を説明する説明図である。メイン基板１０は、プレイヤーが図１０に示したメインメニュー画面で対戦ゲームを選択したときのボタン操作により、操作制御部１３からの信号を受け取ると、中央制御基板２１に対戦データ要求を送信する。これを受信した中央制御基板２１は、ゲームユニット１のディスプレイ２に図１２に示した城選択画面を表示させるための画像データを返信する。そして、ディスプレイ２に表示された城選択画面で、プレイヤーにより挑戦する城が選択されると、メイン基板１０は、そのボタン操作による操作制御部１３からの城選択信号を受け取る。そして、メイン基板１０は、その城選択信号に応じた城名データを含む城データ要求を、中央制御基板２１に送信する。これを受信した中央制御基板２１は、その城データ要求に含まれる城名データに対応する城データを、上記城情報データベースから読み出す。そして、その城データは、図１３に示すように、メイン基板１０に返信される。そして、この城データを受信したメイン基板１０は、その城データに基づくプログラムをロードし、ゲームが進行する。
【００９０】
また、ゲームユニット１のＲＯＭ１７は、各城データを特定するための城名データに関連付けて、挑戦費用データがそれぞれ記録された城挑戦情報データベースを記録するデータ領域を有している。メイン基板１０は、上述のようにして、図１２に示した城選択画面で選択された城に関する城選択信号を操作制御部１３から受け取ることにより、上記探検ゲームと同様に、ＲＯＭ１７に記録された城挑戦情報データベースから城名データに対応した挑戦費用データを読み出し、その挑戦費用データに相当するクレジット分を、ＲＡＭ１６に記録されたクレジットデータから減らす処理を行う。
【００９１】
このようにしてゲームが進行すると、ディスプレイ２には、図１５に示すようなゲーム画面が表示される。尚、ゲーム画面は、探検ゲームも対戦ゲームもほぼ同様であり、そのゲームの進み方も同様であるので、以下、探検ゲームを例に挙げて説明する。
【００９２】
図１５に示すゲーム画面には、ダンジョン内のフィールドであるダンジョン画面が表示されている。また、画面上部には、ダンジョンのフロアー数、主人公の体力及びプレイヤーのクレジットデータに基づくクレジット数が表示されており、画面右下部分には、プレイヤーが使用可能な主人公の所有する複数の魔法カード及びモンスターカードが表示されている。上記ダンジョン画面は、ダンジョンのフロアーを上方から見たものであり、図示の画面には、主人公、敵モンスター、味方モンスターが表示されている。
【００９３】
プレイヤーは、操作レバー４及び操作ボタン５ａ，５ｂ，５ｃを操作して、主人公を移動させたり、敵モンスターに攻撃したり、所有する魔法カードを使用したり、あるいは、味方モンスターを召還したりすることができる。また、敵モンスターも主人公に対して攻撃してくるので、その攻撃を受けると、主人公の体力が減り、体力が０になると、ゲームオーバーとなる。また、味方モンスターが攻撃を受けた場合、その味方モンスターの体力が減り、体力が０になると、その味方モンスターは消滅する。
【００９４】
主人公が所有するモンスターカードを使用する場合、プレイヤーは、操作ボタン５ｃを押す。これにより、メイン基板１０は、画像表示制御部１１により、ディスプレイ１１に、図１６に示すカード選択画面を表示させる。このカード選択画面では、画面右下にあるカードにカーソルが出現する。また、このカード選択画面には、カーソルで選択されているカードの内容を示すカード内容画面が画面左側部分に表示される。モンスターカードを選択した場合、このカード内容画面には、そのモンスターカードにより召還されるモンスターの種類及びその特徴の説明と、そのモンスターカードを使用してモンスターを召還するのに必要なメダル枚数（カード使用費用）が表示されている。プレイヤーは、操作レバー４でカーソルを移動させ、召還を希望するモンスターカードを選択した後、操作ボタン５ａを押す。このボタン操作は、操作制御部１３からメイン基板１０に送られる。そして、メイン基板１０は、ＲＡＭ１６に記録されているクレジットデータを、モンスターカードのカード使用費用に相当する分だけ減少させるように変更するクレジットデータ変動処理を実行する（Ｓ８）。
【００９５】
具体的に説明すると、ゲームユニット１のＲＯＭ１７には、ゲーム要素であるモンスターデータを、プレイヤーが使用可能な状態で記憶する使用可能データ領域と、モンスターデータをプレイヤーが使用不可能な状態で記憶する使用不可能データ領域とを有するモンスターデータベースが格納されている。このモンスターデータベースに記録された各モンスターデータは、モンスター名データに関連付けられた各種データを有している。プレイヤーが召還可能なモンスターデータには、メイン基板１０が実行するモンスター召還プログラムによる読み出しを可能にする読出許可符号が付加されている。尚、図１５のゲーム画面又は図１６のカード選択画面に表示されているモンスターカードは、使用可能データ領域に記録されているモンスターデータの一部である。
【００９６】
メイン基板１０は、図１６に示したカード選択画面で選択されたモンスターカードに関するカード使用信号を受け取ると、プレイヤーの指示に基づくモンスター名を認識する。そして、メイン基板１０は、ＲＡＭ１６に記録されているクレジットデータがカード使用費用データ以上あるとき、そのモンスターデータの使用を決定する。その後、メイン基板１０は、モンスターデータベースからモンスター名データに対応するモンスターデータを読み出して、そのモンスターデータを、登場要素記録媒体としてのＲＡＭ１６に記録する。そして、そのモンスターデータに基づくモンスターをゲーム画面上に出現させる。また、メイン基板１０は、このモンスターデータに対応するカード使用費用データに相当するクレジットデータを、ＲＡＭ１６に記録されたクレジットデータから減じる。
【００９７】
尚、魔法カードを使用する場合も、上記モンスターカードを使用する場合と同様の処理により使用することができる。上記モンスターカードを使用する場合と同様に魔法カードを選択すると、例えば、使用した魔法カードが敵モンスターに攻撃するものである場合、魔法カードデータベースからカード効果データを読み出し、その数値を敵モンスターへのダメージ計算に利用し、その算出結果に基づいて、敵モンスターの体力データを減少させる。
【００９８】
また、ダンジョン内には、図１５に示したゲーム画面に表示されているようなアイテムカードが存在する。プレイヤーが主人公を操作してアイテムカードを拾うと、魔法カードやモンスターカードを入手することができる。また、ダンジョン内には、所持する魔法カードやモンスターカードを売却したり、所持していない魔法カードやモンスターカードを購入したりすることができる図１７（ａ）に示すショップが用意されている。プレイヤーが主人公を操作してショップに入場した場合、所有する魔法カードやモンスターカードを売却してクレジットに変えたり、そのショップで販売されている魔法カードやモンスターカードを自分のクレジットを支払って購入したりすることができる。
【００９９】
上記ショップで魔法カードやモンスターカードを購入する場合、プレイヤーは、図１７（ａ）に示すショップ画面において、操作レバー４を操作して、カーソルを「カードを買う」ボタンに合わせ、操作ボタン５ａを押す。これにより、メイン基板１０は、画像表示制御部１１により、ディスプレイ１１に、図１７（ｂ）に示す購入カード選択画面を表示させる。この購入カード選択画面では、画面上方部分に、そのショップで売っている魔法カードやモンスターカードのカード一覧画面が表示され、画面左下に、カーソルで選択されているカードの内容を示すカード内容画面が表示される。カード一覧画面には、カードを購入するために必要なメダル枚数（カード購入費用）が表示されている。プレイヤーは、操作レバー４でカーソルを移動させ、購入を希望するカードを選択した後、操作ボタン５ａを押す。このボタン操作は、操作制御部１３からメイン基板１０に送られる。そして、メイン基板１０は、ＲＡＭ１６に記録されているクレジットデータを、その魔法カードのカード購入費用に相当する分だけ減少させるように変更するクレジットデータ変動処理を実行する（Ｓ８）。
【０１００】
モンスターカードを購入する場合について、具体的に説明すると、上記モンスターデータベースには、モンスター名データに関連付けられたカード購入費用データも記録されている。メイン基板１０は、図１７（ｂ）に示した購入カード選択画面で選択されたカードに関するカード購入信号を受け取ると、プレイヤーの指示に基づくモンスター名を認識する。そして、メイン基板１０は、ＲＡＭ１６に記録されているクレジットデータがカード購入費用データ以上あるとき、モンスターデータベースの使用不可能データ領域にあるモンスターデータの使用を許可する。その後、メイン基板１０は、モンスター名データに対応するモンスターデータに使用許可符号を付加する。これにより、そのモンスターデータは、モンスターデータベースの使用可能データ領域に記録されることになり、プレイヤーにより使用可能となる。また、メイン基板１０は、そのカード購入費用データに相当するクレジットデータを、ＲＡＭ１６に記録されたクレジットデータから減じる。尚、魔法カードを購入する場合についても、ほぼ同様である。
【０１０１】
一方、上記ショップにおいて、所有する魔法カードやモンスターカードを売却する場合、プレイヤーは、図１７（ａ）に示すショップ画面において、操作レバー４を操作し、カーソルを「カードを売る」ボタンに合わせ、操作ボタン５ａを押す。これにより、メイン基板１０は、画像表示制御部１１により、ディスプレイ１１に、図１７（ｃ）に示す売却カード選択画面を表示させる。この売却カード選択画面では、画面右下にあるカードにカーソルが出現し、カーソルで選択されているカードの内容を示すカード内容画面が画面左側部分に表示される。また、この売却カード選択画面の画面上方部分には、選択されたカードと交換されるメダル枚数（カード売却収入）を表示した引取価格画面が表示される。プレイヤーは、操作レバー４でカーソルを移動させ、所持するカードの中から売却する魔法カード又はモンスターカードを選択した後、操作ボタン５ａを押す。このボタン操作は、操作制御部１３からメイン基板１０に送られる。そして、メイン基板１０は、ＲＡＭ１６に記録されているクレジットデータを、そのカードのカード売却収入に相当する分だけ増加させるように変更するクレジットデータ変動処理を実行する（Ｓ８）。
【０１０２】
モンスターカードを売却する場合について、具体的に説明すると、上記モンスターデータベースには、モンスター名データに関連付けられたカード売却収入データも記録されている。メイン基板１０は、図１７（ｂ）に示した売却カード選択画面で選択されたカードに関するカード売却信号を受け取ると、プレイヤーの指示に基づくモンスター名を認識する。そして、メイン基板１０は、そのモンスターカードがショップで売却可能なものであるとき、モンスターデータベースの使用可能データ領域にあるモンスターデータの不使用を許可する。その後、メイン基板１０は、モンスター名データに対応するモンスターデータから使用許可符号を削除する。これにより、そのモンスターデータは、魔法カードデータベースの使用不可能データ領域に記録されることになり、プレイヤーは、そのモンスターデータを使用できなくなる。また、メイン基板１０は、そのカード売却収入データに相当するクレジットデータを、ＲＡＭ１６に記録されたクレジットデータに足す。尚、魔法カードを売却する場合についても、ほぼ同様である。
【０１０３】
また、配置されている敵モンスターの中には、倒すとクレジットが増加する宝石モンスターが存在する。この宝石モンスターの動作は、ゲーム実行プログラムを実行するメイン基板１０により制御されている。プレイヤーは主人公を操作して宝石モンスターを倒すと、メイン基板１０は、ＲＡＭ１６に記録されているクレジットデータを、その宝石モンスターの種類に応じたメダル枚数である宝石獲得額に相当する分だけ増加させるように変更するクレジットデータ変動処理を実行する（Ｓ８）。
【０１０４】
また、主人公がダンジョンの脱出に成功すると、所定の演出の後、脱出ボーナスとして、ＲＡＭ１６に記録されているクレジットデータを、所定枚数のメダル分だけ増加させるように変更するクレジットデータ変動処理が実行される（Ｓ８）。そして、ディスプレイ２には、再び図１１に示したダンジョン選択画面が表示される。よって、プレイヤーは、このダンジョン選択画面において、次に挑戦するダンジョンを選択することで、同じダンジョン又は別のダンジョンに挑戦することができる。
【０１０５】
以上のようにゲームを行うプレイヤーは、ＲＡＭ１６に記録されたクレジットデータをメダルで払出しを受ける場合、図３に示すペイアウトボタン５ｄを押す。このボタン操作は、操作制御部１３からメイン基板１０に送られる。そして、メイン基板１０は、ＲＡＭ１６に記録されているクレジットデータを、メダル払出制御１５に送り、メダル払出制御１５により、メダル払出処理を実行する（Ｓ１１）。これにより、プレイヤーに対して、メダル払出ロ７から、その時点のクレジットデータに相当する枚数のメダルが払い出される。
【０１０６】
また、プレイヤーは、ゲームを終了しようとする場合には、図３に示す保存終了ボタン５ｅを押す。このボタン操作は、操作制御部１３からメイン基板１０に送られる。そして、メイン基板１０は、画像表示制御部１１により、ディスプレイ２に表示されている画像の上に重なるようにして、図１８に示すゲーム終了選択画面を表示させる（Ｓ１０）。このゲーム終了選択画面には、「ゲームを終了しますか？」というコメントの下に「はい」ボタンと「いいえ」ボタンが表示されている。プレイヤーは、ゲームを終了させない場合には、操作レバー４でカーソルを「いいえ」ボタンに合わせて、操作ボタン５ａを押す。これにより、ゲーム終了選択画面が消えて、直前の画面からゲームが再開される。一方、プレイヤーは、ゲームを終了させる場合には、操作レバー４でカーソルを「はい」ボタンに合わせて、操作ボタン５ａを押す。このボタン操作は、操作制御部１３からメイン基板１０に送られる。そして、メイン基板１０は、図７及び図８に示したように、ＲＡＭ１６に記録されているクレジットデータやゲーム状態データを、データセーブ要求として、中央制御基板２１に送信する。これを受信した中央制御基板２１は、そのデータを、データベース用ＲＯＭ２３に記録されているそのプレイヤーのプレイヤー情報に保存する。そして、中央制御基板２１は、メイン基板１０に保存が完了した旨のセーブ完了データを送信する。これを受信したメイン基板１０は、磁気カード書込読出部１４により、磁気カード９にクレジットデータやゲーム状態データ等を書き込み、その磁気カード９を、カード挿入取出口８から排出する。
【０１０７】
ここで、本発明の特徴部分である複数の味方モンスターを合体させるイベントについて説明する。
図１は、実施形態１における味方モンスターの合体処理の流れを示すフローチャートである。本実施形態において、プレイヤーは、上述のように、所有するモンスターカードを使用して、味方モンスターを召還させることができる。召還したモンスターは、図１５に示すように、主人公の周りに出現し、味方モンスター制御プログラムを実行するメイン基板１０により、主人公とともに、自動的に敵モンスターに攻撃する。上記モンスターデータベースには、数十種類ものモンスターデータが記録されており、各モンスターデータは、それぞれ、パラメータ情報である攻撃力データ、守備力データ、体力データ、特殊能力データ等を含んでいる。このような攻撃力データ、守備力データ、体力データ、特殊能力データ等の違いにより、ゲーム中における味方モンスターの強さが異なることになる。また、各モンスターデータは、それぞれ、メダル枚数に換算したときの換算値データも含んでいる。ここで、味方モンスターの召還により、敵モンスターを倒しやすくなったり、ダンジョンを脱出しやすくなったりする。よって、プレイヤーは、味方モンスターを召還しない場合に比べて、宝石モンスターを倒すことでクレジットを獲得しやすくなったり、脱出ボーナスによるクレジットを獲得しやすくなったりする。味方モンスターの召還によりクレジットを獲得しやすくなる度合は、その味方モンスターの強さにほぼ比例するので、換算値データは、モンスターの種類に応じて適宜設定される。すなわち、攻撃力データ、守備力データ、体力データ、特殊能力データ等が高いモンスターほど、その換算値データも高く設定される。尚、本実施形態では、各モンスターの換算値データは、そのモンスターが味方モンスターとして召還されたときに、召還されない場合に比べて増加すると見込まれる見込変動量としてのメダル数に設定されている。
【０１０８】
プレイヤーは、味方モンスターを合体させる場合、本実施形態では、まず、モンスターカードを使用して２体以上の味方モンスターを召還させておく必要がある。そして、召還している味方モンスターの合体を希望するプレイヤーは、カードを使用する場合と同様に、操作ボタン５ｃを押す。これにより、メイン基板１０は、画像表示制御部１１により、ディスプレイ１１に、図１６に示すカード選択画面を表示させる。このカード選択画面において、プレイヤーがもう一度操作ボタン５ｃを押すと、ディスプレイ１１には、図１９に示すように、「味方モンスターを合体させますか？」というコメントが表示される（Ｓ２１）。このコメントに従って、プレイヤーは、操作レバー４でカーソルを移動させ、コメントの下の「はい」ボタンに合わせて操作ボタン５ａを押すと、そのボタン操作が、操作制御部１３からメイン基板１０に送られる。
【０１０９】
メイン基板１０は、その操作内容を受け取ることで選択条件が満たされたとして、ゲーム要素選択手段として機能し、ＲＡＭ１６に記録されている全ての味方モンスターすなわち召還されている２体の味方モンスターに対応するモンスターを選択する（Ｓ２２）。そして、メイン基板１０は、選択された２体のモンスターに対応するモンスターデータを、上記モンスターデータベースの中からそれぞれ特定し、換算値読出手段として機能して、これらモンスターデータの換算値データを読み出す（Ｓ２３）。換算値決定手段として機能するメイン基板１０は、このようにして読み出された２つの換算値データを加算され、その合計値を算出する（Ｓ２４）。尚、この合計値は、上述のように、合体前の２体のモンスターにより獲得できると見込まれるメダル枚数を示すものとなる。
【０１１０】
合体前のモンスターの換算値データの合計値を算出したら、メイン基板１０は、換算値決定手段としての抽選手段として機能し、その合計値を期待値とする抽選を行い（Ｓ２５）、合体後のモンスターの換算値を決定する（Ｓ２６）。具体的には、この抽選において、メイン基板１０は、まず、ＲＯＭ１７に記録されている抽選テーブルの中から、その合計値に等しい換算値が期待値となるように各換算値がそれぞれ所定の確率で分布する抽選テーブルを読み出す。そして、メイン基板１０は、所定の乱数生成プログラムにより乱数を生成し、その乱数に対応する換算値を上記抽選テーブルに基づいて決定する（Ｓ２６）。
【０１１１】
このようにして合体後のモンスターの換算値が決定されたら、メイン基板１０は、換算値特定手段として機能し、上記モンスターデータベースの中から、その決定された換算値データを特定し、その換算値データに対応したモンスターデータを読み出す（Ｓ２７）。そして、ゲーム要素置換手段として機能するメイン基板１０は、ＲＡＭ１６に記録されている合体前の２体のモンスターデータを消去するとともに、上記Ｓ２７で読み出したモンスターデータをＲＡＭ１６に記録する（Ｓ２８）。これにより、ＲＡＭ１６から消去された合体前の２体のモンスターはゲーム画面上から消え、新たにＲＡＭ１６に記録された合体後のモンスターがゲーム画面上に出現する。
【０１１２】
このように、合体後のモンスターの換算値を抽選により決定することで、例えば、換算値の合計が「１０」であるモンスターが、換算値が「２０」であるモンスターに合体したり、換算値が「５」であるモンスターに合体したりするなど、合体後のモンスターの予測が困難になり、ゲーム性を高めることができる。一方で、この抽選の期待値は、合体前のモンスターの換算値の合計と等しいため、長期的な期間で見た場合、合体前の２体のモンスターによりプレイヤーが獲得できると見込まれるメダル枚数と、合体後のモンスターによりプレイヤーが獲得できるメダル枚数はほぼ同じになる。よって、味方モンスターを合体させても、そのゲーム装置のメダル払出率に変化は少なく、メダル払出率を容易に管理することができ、店舗の収益を安定して確保することができる。
【０１１３】
本実施形態では、抽選により合体後のモンスターの換算値を決定したが、抽選を行わずに、上記モンスターデータベースの中から、直接、合体前の換算値データの合計値と同じ換算値データをもつモンスターデータを特定してもよい。この場合、プレイヤーは、合体前のモンスターから合体後のモンスターを容易に予測できることになるが、そのゲーム装置のメダル払出率はほとんど変化しない。よって、店舗の収益を、より安定して確保することができる。
【０１１４】
また、実施形態１においては、上記メダルゲーム機が設置される店舗内には、プレイヤーがゲームを中断するときにゲーム状態データが記録される磁気カード９内のゲーム要素である複数の味方モンスターを、新たな味方モンスターに合体させるための情報置換装置及び情報合成装置としてのモンスター合体装置が設置されている。
【０１１５】
図２０は、モンスター合体装置の一例を示す外観図である。このモンスター合体装置３０は、磁気カード９に記録された複数の味方モンスターを合体させる操作方法等を示す合体画面を表示する表示手段としてのディスプレイ３１、合体画面の指示に従ってプレイヤーが操作するための操作手段としての４つの操作ボタン３２及び決定ボタン３３を備えている。また、このモンスター合体装置３０には、プレイヤーからゲーム価値としてのメダルを受け取るためのゲーム価値受取受取手段及び対価受取手段としてのメダル投入口３４、上記磁気カード９を挿入するための記録媒体受取手段及び記録媒体引渡手段としての磁気カード挿入ロ３５等が設けられている。
【０１１６】
図２１は、上記モンスター合体装置３０の動作を制御するためのゲーム制御部を示す制御ブロック図である。このゲーム制御部３００は、ゲーム制御基板３０１と、メダルの受取り等を管理するメダル管理装置３０２と、各種データを一時的に記録するＲＡＭ３０３と、磁気カード挿入ロ３５に挿入された磁気カード９の磁気情報の読取り及び書込みを行う磁気情報読取書込装置３０４と、上記モンスターデータベースを格納した換算値記録媒体としてのＲＯＭ３０５を備える。ゲーム制御基板３０１は、メダル管理装置３０２、ＲＡＭ３０３、磁気情報読取書込装置３０４及びＲＯＭ３０５に、それぞれ接続されている。また、このゲーム制御基板３０１は、本モンスター合体装置３０に設けられた図６に示すディスプレイ３１、操作ボタン３２及び決定ボタン３３、メダル投入口３４を介して投入されたメダルを検出する図示しないメダル投入センサや、磁気カード挿入ロ３５内の磁気カード９を駆動するための図示しない磁気カード駆動装置等の各部にも、それぞれ接続されている。
【０１１７】
上記モンスター合体装置３０において、プレイヤーは、自分の所持する磁気カード９に記録された複数の味方モンスターを合体させる場合、まず、その磁気カード９を、モンスター合体装置２０の磁気カード挿入ロ３５に挿入する。これにより、ゲーム制御基板３０１は、図１９に示す画面と同様に、「味方モンスターを合体させますか？」というコメントをディスプレイ３１に表示させる。このコメントに従って、プレイヤーは、操作ボタン３２でカーソルを移動させ、コメントの下の「はい」ボタンに合わせて決定ボタン３３を押すと、そのボタン操作がゲーム制御基板３０１に送られる。これにより、ゲーム制御基板３０１は、ゲーム要素読出手段としての磁気情報読取装置３０４により、磁気カード９から全ての味方モンスターの種類を示すモンスター名データを読み出す。
【０１１８】
その後、ゲーム制御基板３０１は、読み出したモンスター名データに基づき、ＲＯＭ３０５に記録されたモンスターデータベースから対応する全てのモンスターデータを読み出し、これらをＲＡＭ３０３に一時的に保存する。そして、ゲーム制御基板３０１は、ディスプレイ３１に、ＲＡＭ３０３に記録された全てのモンスターデータの画像を表示された図示しない合体モンスター選択画面を表示する。この合体モンスター選択画面を見て、プレイヤーは、操作ボタン３２及び決定ボタン３３を操作して、合体させる味方モンスターを２体以上選択する。この操作内容を受けたゲーム制御基板３０１は、ゲーム要素選択手段として機能する。そして、選択されたモンスターに対応するモンスターデータを、上記モンスターデータベースの中からそれぞれ特定し、換算値読出手段として機能して、これらモンスターデータの換算値データを読み出す。
【０１１９】
このようにして読み出された換算値データは、上述と同様に、加算して合計値を算出し、その合計値を期待値とする抽選を行って、合体後のモンスターの換算値が決定する。このようにして、合体後のモンスターの換算値が決定されたら、ゲーム制御基板３０１は、ゲーム要素生成手段として機能し、上記と同様にして、ＲＯＭ３０５に格納されたモンスターデータベースの中から、その決定された換算値データを特定し、その換算値データに対応したモンスターデータを読み出す。そして、ゲーム制御基板３０１は、ゲーム要素置換手段、利用不可能処理手段及び新規ゲーム要素記録手段としての磁気情報読取書込装置３０４により、磁気カード９に記録されている合体前のモンスター名データを消去するとともに、合体後のモンスター名データを書き込む。
【０１２０】
このようにモンスター合体装置３０を利用して磁気カード９内の味方モンスターを合体させた場合、プレイヤーは、その磁気カード９を用いて上記メダルゲーム機でのゲームを再開したとき、合体前のモンスターに係るモンスターカードは消失し、その代わりに合体後のモンスターに係るモンスターカードを所持することになる。すなわち、プレイヤーは、合体前のモンスターを、上記メダルゲーム機でのゲームで使用することができなくなる代わりに、合体後のモンスターを使用することができるようになる。また、モンスター合体装置３０を利用してモンスターを合体させても、メダルゲーム機でのゲーム中にモンスターを合体させる場合と同様に、そのメダルゲーム機におけるメダル払出率の変化は少なく、メダル払出率を容易に管理することができ、店舗の収益を安定して確保することができる。
【０１２１】
尚、実施形態１では、メダルゲーム機とモンスター合体装置３０とを別個独立して設け、モンスター合体装置３０を利用してメダルゲーム機で利用される磁気カード９内に記録されている味方モンスターを新規な味方モンスターに置換する構成について説明したが、この構成の代わりに、例えば、メダルゲーム機とモンスター合体装置３０とを、ＬＡＮ（ローカルエリアネットワーク）等の通信回線を通じてデータ通信可能に接続し、メダルゲーム機のゲーム要素記録媒体としてのデータベース用ＲＯＭ２３に記録されているプレイヤーの味方モンスターを新規な味方モンスターに置換する構成とすることもできる。この場合、例えば、磁気カード９にはプレイヤーＩＤを記録しておき、そのプレイヤーＩＤに対応するゲーム状態データに含まれるモンスター名データを、中央制御装置２０のデータベース用ＲＯＭ２３に記録しておく。尚、この場合には、磁気カード９からプレイヤーＩＤを読み取り、そのプレイヤーＩＤに対応するゲーム状態データを、中央制御装置２０からゲームユニット１のＲＡＭ１６にダウンロードすることで、ゲームを再開することができる。
【０１２２】
この構成において、プレイヤーは、自分の複数の味方モンスターを合体させる場合、まず、磁気カード９をモンスター合体装置２０の磁気カード挿入ロ３５に挿入する。これにより、ゲーム制御基板３０１は、磁気情報読取装置３０４により磁気カード９からプレイヤーＩＤを読み出し、そのプレイヤーＩＤに基づき、通信回線を介して、メダルゲーム機のデータベース用ＲＯＭ２３の中から、そのプレイヤーのゲーム状態データを特定する。そして、そのプレイヤーのゲーム状態データに含まれる全ての味方モンスターの種類を示すモンスター名データを、通信回線を通じて読み出す。その後、上述した構成の場合と同様にして、換算値決定手段としてのゲーム制御基板３０１により、合体後のモンスターの換算値を決定したら、ＲＯＭ３０５に格納されたモンスターデータベースの中から、その換算値データに対応したモンスターデータを読み出す。そして、ゲーム制御基板３０１は、ゲーム要素置換手段としての機能し、通信回線を通じて、メダルゲーム機のデータベース用ＲＯＭ２３に記録されているプレイヤーのゲーム状態データのうち、合体前のモンスター名データを消去するとともに、合体後のモンスター名データを書き込む。
【０１２３】
以上、実施形態１によれば、プレイヤーがメダルゲーム機でゲームしているとき、召喚した味方モンスターを合体させて新たな味方モンスターを得ることができ、しかも、その置換前と置換後において、そのメダルゲーム機のメダル払出率をほぼ一定にすることができる。よって、メダルゲーム機が設置される店舗の安定した収益を確保することができる。また、モンスター合体装置３０を利用することで、メダルゲーム機のプレイヤーは、そのメダルゲーム機でのゲームを終えてからも、自分の味方モンスターを合体させて新たな味方モンスターを得ることができる。この場合であっても、そのメダルゲーム機のメダル払出率をほぼ一定にすることができ、メダルゲーム機が設置される店舗の安定した収益を確保することができる。
【０１２４】
尚、実施形態１では、２体の味方モンスターを合体させて１体の味方モンスターにする場合について説明したが、同様にして、３体以上の味方モンスターを合体させて１体の味方モンスターにすることもできる。また、２体以上の味方モンスターを合体させて、２体以上の味方モンスターにすることも可能である。この場合にも、合体前のモンスターの換算値の合計と、合体後のモンスターの換算値の合計とが等しくなるようにすれば、店舗の収益を安定して確保することができる。
【０１２５】
また、実施形態１では、味方モンスターを合体させる場合について説明したが、ダンジョンに登場するゲーム要素としての複数の敵モンスターが合体するようにしてもよい。この場合、例えば、ゲーム画面上に複数体隣り合って位置したときに抽選を行い、その抽選に当選したときに所定の選択条件が満たされ、メイン基板１０は、上述と同様にして、その複数体の敵モンスターの合体処理を実行する。
【０１２６】
また、実施形態１では、味方モンスターを合体させる場合について説明したが、プレイヤーが使用可能なゲーム要素としての魔法カードが合体するようにしてもよい。この場合、魔法カードデータベースに登録されているカード売却収入データやカード購入費用データを、その魔法カードの換算値データとして利用することができる。魔法カードも、購入したり売却したりすることで、プレイヤーのクレジットの増減に関与するし、また、使用されることで、味方モンスターの場合と同様に、プレイヤーのクレジットの増減に関与することになる。よって、魔法カードを合体させる場合にも、店舗の収益を安定して確保するため、上述のように、合体前の魔法カードの換算値データの合計値を期待値として抽選を行うなどする必要がある。また、味方モンスターと魔法カードが合体して新たな味方モンスターとするようにしてもよい。この場合、合体後の味方モンスターは、合体後の味方モンスターの能力に、魔法カードの効果に関する能力が追加されるように、合体前の味方モンスター及び魔法カードと合体後の味方モンスターとの間に関連性があるようにするのが望ましい。例えば、味方モンスターと火炎攻撃用の魔法カードが合体したときには、その合体後の味方モンスターの火炎攻撃の能力値が高まるようにする。
【０１２７】
また、実施形態１では、複数のモンスターを合体させるときには、その合体前のモンスターの換算値データのみに基づいて、合体後のモンスターの換算値を決定する場合について説明したが、複数のモンスターを合体させるときに、プレイヤーがメダルを支払う構成としてもよい。このとき、例えば、プレイヤーが支払ったメダル分を合体前のモンスターの換算値データの合計値に加算して、その加算後の値を、合体後のモンスターの換算値を決定する抽選の期待値とするようにしてもよい。このような構成とすることで、プレイヤーは、自分のメダルを費やすことで、より強い味方モンスターを獲得しやすくなり、ゲーム性も向上させることができる。
【０１２８】
また、実施形態１では、実質的には、各ゲームユニット１が独立したゲームを展開する構成について説明したが、各ゲームユニット１を結ぶ中央制御装置２０で全体のゲーム進行を行い、各ゲームユニット１のプレイヤーが、同一のゲームに参加する構成としてもよい。この場合、各プレイヤーが操作する主人公が互いに協力しながらダンジョンの脱出を目指す設定にしてもよいし、各プレイヤーが操作する主人公が互いに敵同士となる対戦ゲームのように設定してもよい。このとき、各ゲームユニット１は、同一店舗内にある必要はなく、複数の店舗間にまたがってネットワークを介して接続されるように構成してもよい。これによれば、より多くのユーザーによる大規模なゲームを実現することができる。
【０１２９】
〔実施形態２〕
次に、本発明を、育成型競馬シュミレーションゲームを実行するメダルゲーム機と、このメダルゲーム機で利用される後述の可搬型のゲーム要素記録媒体としての磁気カードに記録された複数のゲーム要素である持ち馬に基づいて新規な新馬（ゲーム要素）を生成する情報合成装置を備えるゲーム装置としてのカード合成装置とを備えるゲームシステムに適用した実施形態（以下、本実施形態を「実施形態２」という。）について説明する。実施形態２に係るゲームシステムにおいては、ゲームセンタ等に設置されたメダルゲーム機と、そのゲームセンタ等に設置されたカード合成装置とが、互いに独立した状態で設置されている。これらメダルゲーム機とカード合成装置は、後述の磁気カードを通じて、互いにゲーム要素を利用できる構成となっている。
【０１３０】
図２２は、実施形態２におけるメダルゲーム機４０１の一例を示す外観図である。このメダルゲーム機４０１は、中央部分に設けられたフィールド４０２と、このフィールド４０２を取り囲むように設けられた複数のステーション４１０とを備えている。フィールド４０２には、出馬ゲート４０３を備える競馬場の馬場４０４が設けられ、この馬場４０４内で複数の図示しない模型馬が走行することでレースが展開される。また、このフィールド４０２の周囲には、レースの実況や歓声等を流す複数のスピーカー４０５が配置されている。また、フィールド４０２の上方には、ゲーム名称等を表示するための表示部４０６やフィールド４０２を照明する照明装置４０７が配置されている。これら表示部４０６及び照明装置４０７は、支持柱４０８により支持されている。
【０１３１】
上記ステーション４１０には、ゲームの進行に応じたゲーム画面を表示するディスプレイ４１１と、このディスプレイ４１１の表示面に重ね合わされたタッチパネル４１２とが設けられている。プレイヤーがゲーム画面の指示に従いディスプレイ４１１に表示されたゲーム画面の所定位置に触ると、タッチパネル４１２によりその位置が検出され、メダルゲーム機４０１においてプレイヤーの操作内容が認識される。また、ステーション４１０には、プレイヤーにより対価として支払われるゲーム価値であるメダルが投入されるゲーム価値受取手段及び対価受取手段としてのメダル投入口１３、プレイヤーに対してメダルが払い出されるゲーム価値払出手段としてのメダル払出ロ１４およびゲーム要素を記録し持ち運び可能な可搬型のゲーム要素記録媒体としての磁気カード４０９を挿入するための磁気カード差込ロ１５が設けられている。
【０１３２】
上記メダルゲーム機４０１においては、所定のサイクルに従って実際の中央競馬と同一名称のレースが順次開催される。１年分のレースとして約６０のレースが用意されており、レースごとに、メダルをベットのための時間すなわち馬券を購入するための時間、模型馬によりレースが行われる時間、レース結果を表示するための時間が確保される。プレイヤーは、レースごとに着順を予想し、自由に馬券を購入することができる。この馬券の購入は、メダルをベットすることにより行い、購入した馬券がレースの結果と一致していれば、メダルのベット数とオッズに応じた枚数のメダルが配当として払い出される。
【０１３３】
また、上記メダルゲーム機４０１では、プレイヤーが馬主としてゲームに参加することができる。ここでは、プレイヤーは、複数用意された競争馬の中から好きな馬を選択し、その馬を所定枚数のメダルを支払って購入することができる。購入した馬の名前は、予めメダルゲーム機本体内に記録された中から選択した名前と、プレイヤーの入力したプレイヤー名（例えばプレイヤーの氏名）とを組み合わせることにより作成される。そして、プレイヤーは、購入した馬のパラメータ情報である能力値を高めるべく調教を行い、そのプレイヤーに対応するゲーム要素である馬を育成することができる。すなわち、プレイヤーが調教処理を行うことで、自分の持ち馬の能力値が変動する。また、育成した馬を自分の希望するレースに出馬させることができる。尚、このメダルゲーム機４０１では、プレイヤーが馬主としてゲームに参加する場合のゲームの継続性を確保するため、プレイヤーに配布される磁気カード４０９を用いることで、別の日にゲームの続きを再開することができる。
【０１３４】
図２３は、上記メダルゲーム機４０１の動作を統合的に制御するためのメイン制御部を示す制御ブロック図であり、図２４は、上記ステーション４１０ごとに設けられたゲーム進行手段としてのステーション制御部を示す制御ブロック図である。
【０１３５】
図２３に示すように、フィールド４０２側に配置されるメイン制御部５００は、メイン制御装置５０１と、フィールド４０２における模型馬の走行等を制御するためのフィールド制御装置５０２と、上記照明装置４０７を制御する照明制御装置５０３と、上記スピーカー４０５で流す歓声や実況等を制御する音響制御装置５０４と、プレイヤーごとの各種データを記録するためのＳＲＡＭ５０５およびフラッシュメモリ５０６と、ゲームに必要なプログラムおよび各種データベースが格納されたＲＯＭ５０７とを備える。上記メイン制御装置５０１は、フィールド制御部５０２、照明装置５０３、音響装置５０４、ＳＲＡＭ５０５、フラッシュメモり５０６およびＲＯＭ５０７に、それぞれ接続されている。ＲＯＭ５０７には、プレイヤーにより選択される予め多種類用意された馬名データとその音声データ、各馬に関する各種データ、レースの日程等のデータベースが格納されている。
【０１３６】
図２４に示すように、各ステーション４１０に設けられているステーション制御部６００は、ステーション制御装置６０１と、メダルの払い出し等を管理するメダル管理装置６０２と、プレイヤーの各種データを一時的に記録するＲＡＭ６０３と、磁気カード差込口１５に差し込まれた磁気カード４０９の磁気情報を読み取る磁気情報読取装置６０４と、磁気カード４０９にＩＤコード等の各種ゲーム関連情報を書き込むための磁気情報書込装置６０５とを備える。上記ステーション制御装置６０１は、メダル管理装置６０２、ＲＡＭ６０３、磁気情報読取装置６０４及び磁気情報書込装置６０５に、それぞれ接続されている。また、このステーション制御装置６０１は、ステーション４１０に設けられた図２２に示すディスプレイ４１１及びタッチパネル４１２、メダル投入口１４を介して投入されたメダルを検出する図示しないメダル投入センサや、磁気カード差込口１５に差し込まれた磁気カード４０９を駆動するための図示しない磁気カード駆動装置等の各部にも、それぞれ接続されている。
【０１３７】
また、図２３及び図２４に示すように、各ステーション４１０側のステーション制御装置６０１は、フィールド４０２側のメイン制御装置５０１に接続されており、これらの間で必要な交信が可能となっている。
【０１３８】
図２５（ａ）は、プレイヤーごとに記録、管理されるゲーム関連情報としてのプレイヤーデータのデータ構造を示す説明図である。このプレイヤーデータは、プレイヤーごとに割当てられるＩＤコード、そのプレイヤーに関する個人情報、そのプレイヤーの持ち馬の能力値データを含む持ち馬に関する持ち馬情報、そのプレイヤーが最後にゲームを行った日を特定するための最終プレイ日情報、データの更新を記録する書換情報、磁気カード４０９の改窒防止等を目的とするチェックコード等が含まれている。また、このプレイヤーデータには、ゲームの状態や履歴の情報や、ゲーム進行に関係のない画面のレイアウト情報等も含まれている。上記ＩＤコードは、１人のプレイヤーに対して１つだけ割当てられる番号であり、他のプレイヤーデータとＩＤが重複しないように設定される。尚、上記個人情報、上記持ち馬情報のうち能力値に関する部分（パラメータ情報）及び上記最終プレイ日情報は、中断されたゲームの継続性を確保するためのゲーム履歴として用いられる。また、磁気カードに記録される情報以外のプレイヤーデータは、図２３に示すＳＲＡＭ５０５又はフラッシュメモリ５０６に保存される。
【０１３９】
上記個人情報には、プレイヤー名、総プレイ回数などのプレイヤー個人に関する情報が含まれている。この個人情報は、プレイヤー名を持ち馬の冠名として用いるようにゲーム内容に反映されるデータとして使用されるほか、顧客管理データとしても利用される。上記持ち馬情報には、持ち馬の名前を特定するための馬名コード、成長の仕方の特徴を示す成長力ーブを特定される馬タイプ情報、性別、年齢、出走回数、スピード、スピード最大値、スタミナ、スタミナ最大値、コンディション、獲得賞金累積額、過去のレースごとの戦績（例えば１着、２着あるいは着外）等が含まれている。このうち、馬タイプ情報、性別、年齢、スピード、スピード最大値、スタミナ及びスタミナ最大値等の能力値データは、磁気カード４０９に記録される。ここで、スピード最大値及びスタミナ最大値は、調教により育成されることで高められるスピード及びスタミナの最大値であり、各馬はこれら最大値以上にスピード及びスタミナを高めることはできない。このように、スピードがスピード最大値に達している馬を調教しても、その馬のスピード値を上げることができないので、その調教に費やしたメダルは無駄になる。そこで。例えば、その調教に費やしたメダル数をプールしておき、そのプールされたメダル数が所定値に達したら、突然変異馬が登場するようなイベントを設けてもよい。馬名コード（ゲーム要素特定情報）は、上記ＲＯＭ５０７に格納された馬データのデータベース内の各馬名データと関連付けられており、この馬名コードに基づき、馬名データを読み出してゲームに使用する。
【０１４０】
図２５（ｂ）は、プレイヤーがプレイを中断するときに、磁気カード４０９に書き込まれる書込データのデータ構造を示す説明図である。この書込データには、上記プレイヤーデータの中の一部が記録される。具体的には、上記ＩＤコード、上記チェックコード及び上記持ち馬情報の一部と、ゲーム進行に関係のない画面のレイアウト情報等が記録される。尚、本実施形態では、１体の持ち馬につき、１枚の磁気カードが必要とされ、複数の持ち馬を使用してゲームを行うプレイヤーは、その数に応じた磁気カードを所持することになる。
【０１４１】
プレイヤーは、ゲームを再開しようとする場合、任意のステーション４１０で上記磁気カード４０９を挿入する。これにより、その磁気カード４０９に記録されたチェックコードを読み込んで、これに書き込まれている情報が正常なものであるか否かを判断した後、その磁気カード４０９に記録されたＩＤコードを読み込む。そして、その磁気カード４０９に記録された持ち馬情報と、そのＩＤコードに対応する残りのプレイヤーデータを、図２３に示すＳＲＡＭ５０５又はフラッシュメモリ５０６から読み出す。このようにして読み出されたプレイヤーデータは、上記ステーション４１０における図２４に示したＲＡＭ６０３に読み込まれ、所定の処理に利用される。これにより、プレイヤーは、磁気カード４０９を用いることで、何時でもゲームの続きを再開することができ、自分が育成したゲーム要素である馬を継続的に使用してゲームを楽しむことができる。
【０１４２】
図２６は、上記カード合成装置４２０の一例を示す外観図である。このカード合成装置４２０は、磁気カード４０９の内容を合成するゲームのゲーム画面を表示する表示手段としてのディスプレイ４２１、ゲーム画面の指示に従ってプレイヤーが操作するための操作手段としての４つの操作ボタン４２２及び決定ボタン４２３を備えている。また、このカード合成装置４２０には、プレイヤーにより対価として支払われるゲーム価値であるメダルが投入されるゲーム価値受取手段及び対価受取手段としてのメダル投入口４２４、上記磁気カード４０９を挿入するための記録媒体受取手段としての２つの磁気カード挿入ロ４２５ａ，４２５ｂ、新規なゲーム要素を記録した可搬型のゲーム要素記録媒体としての磁気カード４２９を排出するための記録媒体引渡手段としての磁気カード排出ロ４２６等が設けられている。
【０１４３】
上記カード合成装置４２０では、上記メダルゲーム機４０１における持ち馬情報（ゲーム要素）を記録した磁気カード４０９を、２つの磁気カード挿入ロ４２５ａ，４２５ｂにそれぞれ１枚ずつ挿入し、かつ、所定枚数のメダルをメダル投入口４２４に投入することで、プレイヤーは、新しい持ち馬情報（ゲーム要素）が記録された新規な磁気カード４２９を得ることができる。
【０１４４】
図２７は、上記カード合成装置４２０の動作を制御するためのゲーム制御部を示す制御ブロック図である。このゲーム制御部７００は、ゲーム制御基板７０１と、メダルの受取り等を管理するメダル管理装置７０２と、各種データを一時的に記録するＲＡＭ７０３と、磁気カード挿入ロ４２５ａ，４２５ｂに挿入された磁気カード４０９の磁気情報を読み取るゲーム要素読出手段としての磁気情報読取装置７０４と、新規な磁気カード４２９に新しい持ち馬情報を新規に書き込むための新規ゲーム要素記録手段としての磁気情報書込装置７０５とを備える。ゲーム制御基板７０１は、メダル管理装置７０２、ＲＡＭ７０３、磁気情報読取装置７０４及び磁気情報書込装置７０５に、それぞれ接続されている。また、このゲーム制御基板７０１は、本カード合成装置４２０に設けられた図２６に示すディスプレイ４２１、操作ボタン４２２及び決定ボタン４２３、メダル投入口４２４を介して投入されたメダルを検出する図示しないメダル投入センサや、磁気カード挿入ロ４２５ａ，４２５ｂ及び磁気カード排出口４２６内の磁気カード４０９，４２９を駆動するための図示しない磁気カード駆動装置等の各部にも、それぞれ接続されている。
【０１４５】
次に、実施形態２に係るゲームシステムにおけるゲームの流れについて説明する。尚、ここでは、１人のプレイヤーが使用していた複数の持ち馬から新馬を作る場合について説明する。
図２８は、本ゲームシステムにおけるゲームの流れを示す説明図である。
【０１４６】
（ステップ１）
プレイヤーは、まず、上記メダルゲーム機４０１でゲームを行い、自分の持ち馬を複数調教して育成する。このとき、プレイヤーは、磁気カード４０９を利用することで、継続的かつ長期的に、持ち馬を育成することができる。そして、プレイヤーは、自分の育成した馬をレースに出走させるなどして、上記メダルゲーム機４０１でのゲームを楽しむことになる。メダルゲーム機４０１でのゲームで育成した持ち馬は、ゲーム内での時間変化に伴って年齢が高くなり、馬主であるプレイヤーの指示により引退させることができる。プレイヤーは、引退させた馬のうち、牝馬と牡馬の持ち馬情報（ゲーム要素）をそれぞれ記録した２枚の磁気カード４０９を所持し、これら磁気カードを、カード合成装置４２０の磁気カード挿入ロ４２５ａ，４２５ｂにそれぞれ挿入する。
【０１４７】
（ステップ２）
カード合成装置４２０は、２枚の磁気カード４０９にそれぞれ記録された牝馬と牡馬の持ち馬情報から新馬の持ち馬情報を生成する。すなわち、本実施形態におけるゲームシステムでは、上記メダルゲーム機４０１で育成した持ち馬のうちの牝馬と牡馬とを配合して、その血統を受け継ぐプレイヤー独自の新馬を得ることができる。
【０１４８】
図２９は、カード合成装置４２０によるカード合成処理の流れを示すフローチャートである。カード合成装置４２０は、牝馬と牡馬の持ち馬情報をそれぞれ記録した２枚の磁気カード４０９を磁気カード挿入ロ４２５ａ，４２５ｂから受け取ると、まず、磁気情報読取装置７０４により、これら磁気カード４０９に記録されたチェックコードを読み込んで、これに書き込まれている情報が正常なものであるか否かを判断する（Ｓ３１）。ここで、正常でないと判断されたら、その磁気カード４０９を磁気カード挿入ロ４２５ａ，４２５ｂから排出し、ディスプレイ４２１に警告メッセージを表示させる（Ｓ３２）。一方、正常であると判断されたら、カード合成処理に必要となるメダル枚数を支払うように促す画面をディスプレイ４２１に表示させ、プレイヤーに所定枚数のメダルをメダル投入口４２４から投入させる。所定枚数のメダル投入があったら（Ｓ３３）、磁気情報読取装置７０４により、各磁気カード４０９からそれぞれの持ち馬情報を読み出す（Ｓ３４）。ここで読み出される持ち馬情報は、具体的には、各持ち馬の馬タイプ情報、性別、年齢、スピード最大値及びスタミナ最大値等の能力値データである。読み出された各持ち馬情報は、ゲーム制御基板７０１に送られ、ＲＡＭ７０３に一時的に保存される。
【０１４９】
次に、ゲーム制御基板７０１は、読み出した持ち馬情報のうちの性別データに基づき、各磁気カード４０９の持ち馬情報が牝馬と牡馬の組合せであるか否かを判断する（Ｓ３５）。ここで、牝馬と牡馬の組合せでないと判断された場合、これら磁気カード４０９を磁気カード挿入ロ４２５ａ，４２５ｂから排出し、ディスプレイ４２１に警告メッセージを表示させる（Ｓ３２）。一方、牝馬と牡馬の組合せであると判断された場合には、ゲーム要素生成手段としてのゲーム制御基板７０１は、読み出した各持ち馬情報のうち、それぞれの馬タイプ情報、スピード及びスタミナ等の能力値データに基づいて、新馬の持ち馬情報を生成する新馬生成処理を行う（Ｓ３６）。
【０１５０】
この新馬生成処理では、新馬の父と母となる馬の持ち馬情報がもつ特徴を反映した持ち馬情報が生成される。具体的な例を挙げると、父と母となる馬が同じ馬タイプ情報をもつものである場合には、この新馬生成処理で生成される持ち馬情報の馬タイプ情報は、その馬タイプ情報に設定する。また、父と母となる馬が相反する馬タイプ情報をもつものである場合には、例えば、乱数による抽選等により決定した馬タイプ情報を、新馬生成処理で生成される持ち馬情報の馬タイプ情報として設定する。また、本実施形態では、新馬生成処理で生成される持ち馬情報のうち、スピード最大値及びスタミナ最大値等の能力値データは、乱数による抽選等により決定した値を、父と母となる馬のうち値が大きい方のスピード最大値及びスタミナ最大値に加算又は減算して得る。例えば、乱数による抽選等により「＋１」、「０」、「−１」の何れかの値を決定し、その決定した値を、父と母となる馬のうち値が大きい方のスピード最大値及びスタミナ最大値に加算して得た値を、新馬のスピード最大値及びスタミナ最大値とする。このように、もとの磁気カード４０９に記録された各持ち馬情報がもつ特徴を反映して新しい持ち馬情報を生成することで、プレイヤーがメダルゲーム機４０１で育成した父と母となる馬の血統を引き継いだ新馬を生成することができる。また、新しい持ち馬情報に含まれる年齢はゼロに設定される。
【０１５１】
尚、本実施形態では、持ち馬情報のみを用いて新しい持ち馬情報を生成する場合について説明したが、この他のあらゆる情報に基づいて新しい持ち馬情報を生成することが可能である。例えば、上述したプレイヤーデータに含まれる個人情報の総プレイ回数なども考慮すれば、更にプレイヤーの特徴を生かした持ち馬情報を生成することが可能となる。このとき、例えば、プレイヤーの総プレイ回数が多くなるにつれて、生成するスピード等の初期値を高い値に設定するようにすれば、常連のプレイヤーが有利になるような仕組みとすることもできる。尚、上記の場合には、上記メダルゲーム機４０１において、磁気カード４０９に総プレイ回数を記録しておく必要がある。
【０１５２】
このようにして新馬生成処理により、新しい持ち馬情報を生成したら、その持ち馬情報は、磁気情報書込装置７０５により新しい磁気カード４２９に記録される（Ｓ３７）。また、新しく生成した持ち馬情報に基づいて生成したチェックコード、初期状態の画面レイアウト等のその他の情報、プレイヤーから受け取った磁気カード４０９のうちのいずれか一方のＩＤコードも新しい磁気カード４２９に記録される。
【０１５３】
尚、ここでは、１人のプレイヤーが所持する複数の磁気カード４０９にそれぞれ記録された各持ち馬情報等から、新しい持ち馬情報を生成する場合について説明したが、２人のプレイヤーがそれぞれ所持する磁気カード４０９にそれぞれ記録された各持ち馬情報等から、新しい持ち馬情報を生成することも可能である。この場合、上記Ｓ３７において、新しい磁気カード４２９に情報を記録する前に、どちらのＩＤコードを書き込むかをプレイヤーに選択させるようにする。また、各プレイヤーのＩＤコードをそれぞれ記録した新しい２枚の磁気カード４２９をプレイヤーに引き渡すようにしてもよい。
【０１５４】
（ステップ３）
このようにして、新しい持ち馬情報等を新規な磁気カード４２９に記録したら、その磁気カード４２９は、磁気カード排出ロ４２６から排出される。これにより、プレイヤーは、メダルゲーム機４０１でのゲームで育成した持ち馬の子となる新馬の持ち馬情報が記録された新しい磁気カード４２９を手にすることができる。また、プレイヤーから受け取った元の磁気カード４０９も、２つの磁気カード挿入ロ４２５ａ，４２５ｂから排出され、プレイヤーに返却される。
【０１５５】
（ステップ４）
新馬の持ち馬情報が記録された新しい磁気カード４２９を取得したプレイヤーは、その磁気カード４２９を、上記メダルゲーム機４０１の磁気カード差込ロ１５に挿入する。これにより、メダルゲーム機４０１では、その磁気カード４２９に記録されたＩＤコードを読み込み、その磁気カード４２９に記録された持ち馬情報と、そのＩＤコードに対応する残りのプレイヤーデータを、図３に示すＳＲＡＭ５０５又はフラッシュメモリ５０６から読み出し、ステーション４１０のＲＡＭ６０３に読み込まれる。これにより、プレイヤーは、上記カード合成装置４２０により生成した新馬をゲームに使用することができるようになり、その新馬の育成やその新馬のレースなどを楽しむことができる。
【０１５６】
以上、実施形態２によれば、上記カード合成装置４２０を利用することで、プレイヤーがメダルゲーム機４０１で育成した持ち馬の持ち馬情報等をそれぞれ記録した２枚の磁気カード４０９から、これら持ち馬の血統を受け継ぐ新馬の持ち馬情報等を記録した磁気カード４２９を取得することができる。そして、プレイヤーは、取得した磁気カード４２９をメダルゲーム機４０１に利用することで、その新馬をメダルゲーム機４０１でのゲームで使用することができる。
【０１５７】
尚、本実施形態では、１枚の磁気カード４０９に１つの持ち馬情報しか記録できない構成であったが、１枚の磁気カード４０９に複数の持ち馬情報を記録できる構成としてもよい。この場合、１枚の磁気カード４０９に記録された複数の持ち馬情報に基づいて、上記同様に新馬の持ち馬情報を生成することもできる。また、本実施形態では、生成した新しい持ち馬情報を新しい磁気カード４２９に記録して、これをプレイヤーに引き渡す構成であったが、生成した新しい持ち馬情報を、プレイヤーから受け取った元の磁気カード４０９に追加して書き込むようにしてもよい。
【０１５８】
また、本実施形態では、生成した新しい持ち馬情報を記録した新しい磁気カード４２９をプレイヤーに引き渡すとともに、プレイヤーから受け取った元の磁気カード４０９もプレイヤーに返却する構成としている。しかし、この場合、プレイヤーは、メダルを支払えば、同じ磁気カード４０９から何度も新しい持ち馬情報を記録した新しい磁気カード４２９を得ることができるため、カード合成装置４２０によるゲーム性が低くなってしまうおそれがある。よって、プレイヤーから受け取った元の磁気カード４０９は、プレイヤーに返却しないで回収するように構成してもよい。この場合、磁気カード挿入ロ４２５ａ，４２５ｂに挿入された磁気カード４０９をカード合成装置４２０の内部に回収するための利用不可能処理手段としての記録媒体回収手段としてのカード回収装置を設ける必要がある。このカード回収装置は、磁気カード４０９を収容する収容箱、磁気カード挿入ロ４２５ａ，４２５ｂに挿入された磁気カード４０９をその収容スペースに搬送するための搬送機構などで構成されるものを利用することができる。また、カード合成装置４２０に、利用不可能処理手段としての磁気情報消去装置を設け、プレイヤーから受け取った元の磁気カード４０９内の情報を消去した後、プレイヤーに返却するようにしてもよい。
【０１５９】
尚、実施形態２では、競馬シュミレーションゲームを例に挙げて説明したが、実施形態２のようなプレイヤーが育成した複数のキャラクタから新しいキャラクタを生成する構成は、上記実施形態１の構成に適用することも可能である。例えば、上記実施形態１における磁気カード９にプレイヤーが召還できる味方モンスターの能力データ等を磁気カードに記録しておけば、上述したカード合成装置４２０と同様の装置により、複数の味方モンスターから、新たな能力をもつ味方モンスターを得ることができる。尚、この場合、ゲームの趣旨から、合体前のモンスターは利用できないようにするのが望ましい。
【０１６０】
また、実施形態１では、主人公がダンジョンを冒険するロールプレイングゲームについて説明し、実施形態２では、育成型競馬シュミレーションゲームについて説明したが、本発明は、その他種々のゲームに適用することができる。例えば、プレイヤーが操作対象である戦闘機を操作し、敵の戦闘機を撃墜しながら敵の基地の占拠を目指してプレイするようなシューティングゲームなどにも適用することができる。
【図面の簡単な説明】
【０１６１】
【図１】実施形態１に係るメダルゲーム機における味方モンスターの合体処理の流れを示すフローチャート。
【図２】同メダルゲーム機の全体の概略構成図。
【図３】同メダルゲーム機を構成するゲームユニットの外観図。
【図４】同ゲームユニット内部の概略構成を示すブロック図。
【図５】同メダルゲーム機を構成する中央制御装置の概略構成を示すブロック図。
【図６】同ゲームユニットのＲＯＭに格納されているゲーム実行プログラムを実行するメイン基板によるゲームの流れを示すフローチャート。
【図７】既存のカード処理における同ゲームユニットと同中央制御装置との間のデータ通信の流れを示す説明図。
【図８】新規のカード処理における同ゲームユニットと同中央制御装置との間のデータ通信の流れを示す説明図。
【図９】（ａ）は、同ゲームユニットのディスプレイに表示される名前入力画面の説明図。  （ｂ）は、同ゲームユニットのディスプレイに表示される名前確認画面の説明図。  （ｃ）は、同ゲームユニットのディスプレイに表示される職業選択画面の説明図。
【図１０】同ゲームユニットのディスプレイに表示されるメインメニュー画面の説明図。
【図１１】同ゲームユニットのディスプレイに表示されるダンジョン選択画面の説明図。
【図１２】同ゲームユニットのディスプレイに表示される城選択画面の説明図。
【図１３】城の挑戦が許可された場合の城選択処理における同ゲームユニットと同中央制御装置との間のデータ通信の流れを示す説明図。
【図１４】城の挑戦が許可されない場合の城選択処理における同ゲームユニットと同中央制御装置との間のデータ通信の流れを示す説明図。
【図１５】同ゲームユニットのディスプレイに表示されるゲーム画面の説明図。
【図１６】同ゲームユニットのディスプレイに表示されるカード選択画面の説明図。
【図１７】（ａ）は、同ゲームユニットのディスプレイに表示されるショップ画面の説明図。  （ｂ）は、同ショップ画面で購入できるカードの一覧が表示されたカード選択画面の説明図。  （ｃ）は、同ショップ画面で売ることができるカードの一覧が表示されたカード選択画面の説明図。
【図１８】同ゲームユニットのディスプレイに表示されるゲーム終了選択画面の説明図。
【図１９】同ゲームユニットのディスプレイに表示される合体処理画面の説明図。
【図２０】同メダルゲーム機とは別個に設置されるモンスター合体装置の一例を示す外観図。
【図２１】同モンスター合体装置の動作を制御するためのゲーム制御部を示す制御ブロック図。
【図２２】実施形態２に係るゲームシステムを構成するメダルゲーム機の一例を示す外観図。
【図２３】同メダルゲーム機のメイン制御部を示す制御ブロック図。
【図２４】同メダルゲーム機のステーション制御部を示す制御ブロック図。
【図２５】（ａ）は、プレイヤーデータのデータ構造を示す説明図。  （ｂ）は、磁気カードに書き込まれる書込データのデータ構造を示す説明図。
【図２６】同ゲームシステムを構成するカード合成装置の一例を示す外観図。
【図２７】同カード合成装置の動作を制御するためのゲーム制御部を示す制御ブロック図。
【図２８】同ゲームシステムにおけるゲームの流れを示す説明図。
【図２９】同カード合成装置によるカード合成処理の流れを示すフローチャート。
【符号の説明】
【０１６２】
１      ゲームユニット
２      ディスプレイ
４      操作レバー
５ａ，５ｂ，５ｃ  操作ボタン
５ｄ    ペイアウトボタン
６，４２４  メダル投入口
７      メダル払出口
８      カード挿入取出口
９，４０９，４２９  磁気カード
１０    メイン基板
２０    中央制御装置
２１    中央制御基板
３０    モンスター合体装置
３００  ゲーム制御部
４０１  メダルゲーム機
４１０  ステーション
４２０  カード合成装置
４２５ａ，４２５ｂ  磁気カード挿入口
４２６    磁気カード排出ロ
５００  メイン制御部
６００  ステーション制御部
７００  ゲーム制御部
７０１  ゲーム制御基板
７０４  磁気情報読取装置
７０５  磁気情報書込装置
【図１】
2005066363.tif 000003
【図２】
2005066363.tif 000004
【図３】
2005066363.tif 000005
【図４】
2005066363.tif 000006
【図５】
2005066363.tif 000007
【図６】
2005066363.tif 000008
【図７】
2005066363.tif 000009
【図８】
2005066363.tif 000010
【図９】
2005066363.tif 000011
【図１０】
2005066363.tif 000012
【図１１】
2005066363.tif 000013
【図１２】
2005066363.tif 000014
【図１３】
2005066363.tif 000015
【図１４】
2005066363.tif 000016
【図１５】
2005066363.tif 000017
【図１６】
2005066363.tif 000018
【図１７】
2005066363.tif 000019
【図１８】
2005066363.tif 000020
【図１９】
2005066363.tif 000021
【図２０】
2005066363.tif 000022
【図２１】
2005066363.tif 000023
【図２２】
2005066363.tif 000024
【図２３】
2005066363.tif 000025
【図２４】
2005066363.tif 000026
【図２５】
2005066363.tif 000027
【図２６】
2005066363.tif 000028
【図２７】
2005066363.tif 000029
【図２８】
2005066363.tif 000030
【図２９】
2005066363.tif 000031